(57)【要約】      （修正有）【課題】ヘテロジニアスなネットワーク（ＨｅｔＮｅｔ）におけるセル特有基準信号（ＣＲＳ）処理を実行するためにリソース分割情報（ＲＰＩ）を利用する際の、ユーザ機器（ＵＥ）受信機のための技術を提供する。【解決手段】サービス提供ノードＢ７１０は、ＲＰＩを生成するためのＲＰＩ生成モジュール７１４を含み、ＲＰＩは、送信モジュール７１２を介してＵＥ７２０に送信される。ＵＥ７２０は、受信モジュール７２６を介してＲＰＩを受信するが、サービス提供ノードＢ７１０から基準信号（ＲＳ）を受信している間、非サービス提供ノードＢからの送信をも受信する。ＵＥ７２０は、ＲＰＩに基づいて、ＣＲＳ処理のためにどのサブフレームを使用するかを決定する。ＵＥ７２０は、サービス提供ノードＢ７１０から、使用可能なＲＳを処理するためのＲＳ処理モジュール７２４を含む。使用可能なＲＳは、ＣＲＳ処理に使用されるためにサブフレームで送信される。【選択図】図７
2014239479.tif 000002
【特許請求の範囲】
【請求項１】
無線通信のための方法であって、
サービス提供ノードＢと、１または複数の非サービス提供ノードＢとの間のリソースの協調的な分割によって保護されている１または複数のサブフレームを識別するリソース分割情報（ＲＰＩ）をユーザ機器（ＵＥ）において取得することと、
前記サービス提供ノードＢと前記非サービス提供ノードＢとの間で、干渉がほとんどまたはまったくない１または複数のサブフレームを、前記ＲＰＩに少なくとも部分的に基づいて識別することと、
前記ＵＥにおいてなされる１または複数の測定において、別のサブフレームではなく、前記識別されたサブフレームの基準信号（ＲＳ）を利用することと、を備える方法。
【請求項２】
前記識別されたサブフレームは、前記サービス提供ノードＢとの通信のために使用可能なサブフレームとして前記ＲＰＩが指定した１または複数のサブフレームを備える、請求項１に記載の方法。
【請求項３】
前記識別されたサブフレームは、前記使用可能なサブフレームに加えて、良好なＲＳ品質を有するとして前記ＵＥが識別した１または複数のサブフレームを備える、請求項２に記載の方法。
【請求項４】
前記ＵＥは、前記非サービス提供ノードＢからの送信がサブフレームにおいてサービス提供ノードＢのＲＳと干渉するか否かに基づいて、前記１または複数のサブフレームを、良好なＲＳ品質を有するものとして識別する、請求項３に記載の方法。
【請求項５】
前記非サービス提供ノードＢのうちの少なくとも１つが、前記サブフレームでデータを送信し、前記データが、前記サービス提供ノードＢのＲＳトーンと衝突し、前記非サービス提供ノードＢが、前記サービス提供ノードＢよりも強いＲＳ強度を有する場合、前記非サービス提供ノードＢからの送信が、前記サブフレームにおいて、前記サービス提供ノードＢのＲＳと干渉する、請求項４に記載の方法。
【請求項６】
前記識別されたサブフレームのうちの少なくとも１つにおいて、保護されていない別の領域から、保護されている１または複数の領域を識別すること、をさらに備える請求項１に記載の方法。
【請求項７】
前記１または複数の領域は、リソース・ブロックおよびシンボルを備える、請求項６に記載の方法。
【請求項８】
前記利用することは、前記ＵＥにおいてなされる１または複数の測定において、前記別の領域ではなく、前記保護されている領域のＲＳを利用することを備える、請求項６に記載の方法。
【請求項９】
前記保護されている領域のＲＳを利用することは、トラッキング・ループと測定とを備える、請求項８に記載の方法。
【請求項１０】
前記保護されている領域のＲＳを利用することは、前記保護されている領域外のＲＳシンボルを使用しないチャネル推定を実行することを備える、請求項８に記載の方法。
【請求項１１】
前記保護されていない別の領域は、前記非サービス提供ノードＢからの物理ブロードキャスト・チャネル（ＰＢＣＨ）送信およびシステム情報ブロック（ＳＩＢ）送信を備え、これら送信は、リソース分割に従わない、請求項６に記載の方法。
【請求項１２】
前記ＵＥにおいてなされる１または複数の測定において、前記別のサブフレームではなく、前記識別されたサブフレームのＲＳを利用することは、トラッキング・ループと測定とを備える、請求項１に記載の方法。
【請求項１３】
前記トラッキング・ループは、時間トラッキング・ループと周波数トラッキング・ループとを備える、請求項１２に記載の方法。
【請求項１４】
これら測定は、ラジオ・リンク・モニタリング（ＲＬＭ）、基準信号受信電力（ＲＳＲＰ）、および基準信号受信品質（ＲＳＲＱ）を備える、請求項１２に記載の方法。
【請求項１５】
無線通信のための装置であって、
サービス提供ノードＢと、１または複数の非サービス提供ノードＢとの間のリソースの協調的な分割によって保護されている１または複数のサブフレームを識別するリソース分割情報（ＲＰＩ）をユーザ機器（ＵＥ）において取得する手段と、
前記サービス提供ノードＢと前記非サービス提供ノードＢとの間で、干渉がほとんどまたはまったくない１または複数のサブフレームを、前記ＲＰＩに少なくとも部分的に基づいて識別する手段と、
前記ＵＥにおいてなされる１または複数の測定において、別のサブフレームではなく、前記識別されたサブフレームの基準信号（ＲＳ）を利用する手段と、を備える装置。
【請求項１６】
前記識別されたサブフレームは、前記サービス提供ノードＢとの通信のために使用可能なサブフレームとして前記ＲＰＩが指定した１または複数のサブフレームを備える、請求項１５に記載の装置。
【請求項１７】
前記識別されたサブフレームは、前記使用可能なサブフレームに加えて、良好なＲＳ品質を有するとして前記ＵＥが識別した１または複数のサブフレームを備える、請求項１６に記載の装置。
【請求項１８】
前記ＵＥは、前記非サービス提供ノードＢからの送信がサブフレームにおいてサービス提供ノードＢのＲＳと干渉するか否かに基づいて、前記１または複数のサブフレームを、良好なＲＳ品質を有するものとして識別する、請求項１７に記載の装置。
【請求項１９】
前記非サービス提供ノードＢのうちの少なくとも１つが、前記サブフレームでデータを送信し、前記データが、前記サービス提供ノードＢのＲＳトーンと衝突し、前記非サービス提供ノードＢが、前記サービス提供ノードＢよりも強いＲＳ強度を有する場合、前記非サービス提供ノードＢからの送信が、前記サブフレームにおいて、前記サービス提供ノードＢのＲＳと干渉する、請求項１８に記載の装置。
【請求項２０】
前記識別されたサブフレームのうちの少なくとも１つにおいて、保護されていない別の領域から、保護されている１または複数の領域を識別する手段、をさらに備える請求項１５に記載の装置。
【請求項２１】
前記１または複数の領域は、リソース・ブロックおよびシンボルを備える、請求項２０に記載の装置。
【請求項２２】
前記利用する手段は、前記ＵＥにおいてなされる１または複数の測定において、前記別の領域ではなく、前記保護されている領域のＲＳを利用する手段を備える、請求項２０に記載の装置。
【請求項２３】
前記保護されている領域のＲＳを利用する手段は、トラッキング・ループと測定とのための手段を備える、請求項２２に記載の装置。
【請求項２４】
前記保護されている領域のＲＳを利用する手段は、前記保護されている領域外のＲＳシンボルを使用しないチャネル推定を実行する手段を備える、請求項２２に記載の装置。
【請求項２５】
前記保護されていない別の領域は、前記非サービス提供ノードＢからの物理ブロードキャスト・チャネル（ＰＢＣＨ）送信およびシステム情報ブロック（ＳＩＢ）送信を備え、これら送信は、リソース分割に従わない、請求項２０に記載の装置。
【請求項２６】
前記ＵＥにおいてなされる１または複数の測定において、前記別のサブフレームではなく、前記識別されたサブフレームのＲＳを利用する手段は、トラッキング・ループと測定とのための手段を備える、請求項１５に記載の装置。
【請求項２７】
前記トラッキング・ループは、時間トラッキング・ループと周波数トラッキング・ループとを備える、請求項２６に記載の装置。
【請求項２８】
これら測定は、ラジオ・リンク・モニタリング（ＲＬＭ）、基準信号受信電力（ＲＳＲＰ）、および基準信号受信品質（ＲＳＲＱ）を備える、請求項２６に記載の装置。
【請求項２９】
無線通信のための装置であって、
サービス提供ノードＢと、１または複数の非サービス提供ノードＢとの間のリソースの協調的な分割によって保護されている１または複数のサブフレームを識別するリソース分割情報（ＲＰＩ）をユーザ機器（ＵＥ）において取得し、
前記サービス提供ノードＢと前記非サービス提供ノードＢとの間で、干渉がほとんどまたはまったくない１または複数のサブフレームを、前記ＲＰＩに少なくとも部分的に基づいて識別し、
前記ＵＥにおいてなされる１または複数の測定において、別のサブフレームではなく、前記識別されたサブフレームの基準信号（ＲＳ）を利用するように構成された少なくとも１つのプロセッサと、
前記少なくとも１つのプロセッサに接続されたメモリと、を備える装置。
【請求項３０】
前記識別されたサブフレームは、前記サービス提供ノードＢとの通信のために使用可能なサブフレームとして前記ＲＰＩが指定した１または複数のサブフレームを備える、請求項２９に記載の装置。
【請求項３１】
前記識別されたサブフレームは、前記使用可能なサブフレームに加えて、良好なＲＳ品質を有するとして前記ＵＥが識別した１または複数のサブフレームを備える、請求項３０に記載の装置。
【請求項３２】
前記ＵＥは、前記非サービス提供ノードＢからの送信がサブフレームにおいてサービス提供ノードＢのＲＳと干渉するか否かに基づいて、前記１または複数のサブフレームを、良好なＲＳ品質を有するものとして識別する、請求項３１に記載の装置。
【請求項３３】
前記非サービス提供ノードＢのうちの少なくとも１つが、前記サブフレームでデータを送信し、前記データが、前記サービス提供ノードＢのＲＳトーンと衝突し、前記非サービス提供ノードＢが、前記サービス提供ノードＢよりも強いＲＳ強度を有する場合、前記非サービス提供ノードＢからの送信が、前記サブフレームにおいて、前記サービス提供ノードＢのＲＳと干渉する、請求項３２に記載の装置。
【請求項３４】
前記少なくとも１つのプロセッサは、前記識別されたサブフレームのうちの少なくとも１つにおいて、保護されていない別の領域から、保護されている１または複数の領域を識別するように構成された、請求項２９に記載の装置。
【請求項３５】
前記１または複数の領域は、リソース・ブロックおよびシンボルを備える、請求項３４に記載の装置。
【請求項３６】
前記利用するように構成された少なくとも１つのプロセッサは、前記ＵＥにおいてなされる１または複数の測定において、前記別の領域ではなく、前記保護されている領域のＲＳを利用することを備える、請求項３４に記載の装置。
【請求項３７】
前記保護されている領域のＲＳを利用するように構成された少なくとも１つのプロセッサは、トラッキング・ループと測定とを備える、ように構成された、請求項３６に記載の装置。
【請求項３８】
前記保護されている領域のＲＳを利用するように構成された少なくとも１つのプロセッサは、前記保護されている領域外のＲＳシンボルを使用しないチャネル推定を実行することを備える、請求項３６に記載の装置。
【請求項３９】
前記保護されていない別の領域は、前記非サービス提供ノードＢからの物理ブロードキャスト・チャネル（ＰＢＣＨ）送信およびシステム情報ブロック（ＳＩＢ）送信を備え、これら送信は、リソース分割に従わない、請求項３４に記載の装置。
【請求項４０】
前記ＵＥにおいてなされる１または複数の測定において、前記別のサブフレームではなく、前記識別されたサブフレームのＲＳを利用するように構成された少なくとも１つのプロセッサは、トラッキング・ループと測定とを備える、請求項２９に記載の装置。
【請求項４１】
前記トラッキング・ループは、時間トラッキング・ループと周波数トラッキング・ループとを備える、請求項４０に記載の装置。
【請求項４２】
これら測定は、ラジオ・リンク・モニタリング（ＲＬＭ）、基準信号受信電力（ＲＳＲＰ）、および基準信号受信品質（ＲＳＲＱ）を備える、請求項４０に記載の装置。
【請求項４３】
無線通信のためのコンピュータ・プログラム製品であって、
サービス提供ノードＢと、１または複数の非サービス提供ノードＢとの間のリソースの協調的な分割によって保護されている１または複数のサブフレームを識別するリソース分割情報（ＲＰＩ）をユーザ機器（ＵＥ）において取得することと、
前記サービス提供ノードＢと前記非サービス提供ノードＢとの間で、干渉がほとんどまたはまったくない１または複数のサブフレームを、前記ＲＰＩに少なくとも部分的に基づいて識別することと、
前記ＵＥにおいてなされる１または複数の測定において、別のサブフレームではなく、前記識別されたサブフレームの基準信号（ＲＳ）を利用することと、のためのコードを有するコンピュータ読取可能な媒体を備える、コンピュータ・プログラム製品。
【請求項４４】
前記識別されたサブフレームは、前記サービス提供ノードＢとの通信のために使用可能なサブフレームとして前記ＲＰＩが指定した１または複数のサブフレームを備える、請求項４３に記載のコンピュータ・プログラム製品。
【請求項４５】
前記識別されたサブフレームは、前記使用可能なサブフレームに加えて、良好なＲＳ品質を有するとして前記ＵＥが識別した１または複数のサブフレームを備える、請求項４４に記載のコンピュータ・プログラム製品。
【請求項４６】
前記ＵＥは、前記非サービス提供ノードＢからの送信がサブフレームにおいてサービス提供ノードＢのＲＳと干渉するか否かに基づいて、前記１または複数のサブフレームを、良好なＲＳ品質を有するものとして識別する、請求項４５に記載のコンピュータ・プログラム製品。
【請求項４７】
前記非サービス提供ノードＢのうちの少なくとも１つが、前記サブフレームでデータを送信し、前記データが、前記サービス提供ノードＢのＲＳトーンと衝突し、前記非サービス提供ノードＢが、前記サービス提供ノードＢよりも強いＲＳ強度を有する場合、前記非サービス提供ノードＢからの送信が、前記サブフレームにおいて、前記サービス提供ノードＢのＲＳと干渉する、請求項４６に記載のコンピュータ・プログラム製品。
【請求項４８】
前記識別されたサブフレームのうちの少なくとも１つにおいて、保護されていない別の領域から、保護されている１または複数の領域を識別すること、のためのコードをさらに備える請求項４３に記載のコンピュータ・プログラム製品。
【請求項４９】
前記１または複数の領域は、リソース・ブロックおよびシンボルを備える、請求項４８に記載のコンピュータ・プログラム製品。
【請求項５０】
前記利用するためのコードは、前記ＵＥにおいてなされる１または複数の測定において、前記別の領域ではなく、前記保護されている領域のＲＳを利用するためのコードを備える、請求項４８に記載のコンピュータ・プログラム製品。
【請求項５１】
前記保護されている領域のＲＳを利用するためのコードは、トラッキング・ループと測定とのためのコードを備える、請求項５０に記載のコンピュータ・プログラム製品。
【請求項５２】
前記保護されている領域のＲＳを利用するためのコードは、前記保護されている領域外のＲＳシンボルを使用しないチャネル推定を実行するためのコードを備える、請求項５０に記載のコンピュータ・プログラム製品。
【請求項５３】
前記保護されていない別の領域は、前記非サービス提供ノードＢからの物理ブロードキャスト・チャネル（ＰＢＣＨ）送信およびシステム情報ブロック（ＳＩＢ）送信を備え、これら送信は、リソース分割に従わない、請求項４８に記載のコンピュータ・プログラム製品。
【請求項５４】
前記ＵＥにおいてなされる１または複数の測定において、前記別のサブフレームではなく、前記識別されたサブフレームのＲＳを利用するためのコードは、トラッキング・ループと測定とのためのコードを備える、請求項４３に記載のコンピュータ・プログラム製品。
【請求項５５】
前記トラッキング・ループは、時間トラッキング・ループと周波数トラッキング・ループとを備える、請求項５４に記載のコンピュータ・プログラム製品。
【請求項５６】
これら測定は、ラジオ・リンク・モニタリング（ＲＬＭ）、基準信号受信電力（ＲＳＲＰ）、および基準信号受信品質（ＲＳＲＱ）を備える、請求項５４に記載のコンピュータ・プログラム製品。
【請求項５７】
無線通信のための方法であって、
サービス提供ノードＢと、１または複数の非サービス提供ノードＢとの間のリソースの協調的な分割によって保護されている１または複数のサブフレームを識別するリソース分割情報（ＲＰＩ）をユーザ機器（ＵＥ）において取得することと、
所与のサブフレームにおいて、前記サービス提供ノードＢのデータにおける干渉に寄与する前記１または複数の非サービス提供ノードＢを、前記ＲＰＩに少なくとも部分的に基づいて識別することと、
前記ＵＥにおける干渉を推定するために、別の非サービス提供ノードＢではなく、前記干渉に寄与する非サービス提供ノードＢをカウントすることと、を備える方法。
【請求項５８】
前記カウントすることは、生の干渉を推定するために、基準信号（ＲＳ）干渉除去（ＩＣ）を実行することと、ＩＣ後のＲＳトーンを用いることとを備える、請求項５７に記載の方法。
【請求項５９】
ＲＳトーンが除去され、ＲＳトーンがサービス提供ノードＢのＲＳトーンと衝突する、干渉に寄与すると判定された各非サービス提供ノードＢについて、前記非サービス提供ノードＢからの受信信号の共分散推定値を、生の干渉推定値に加えること、をさらに備える請求項５８に記載の方法。
【請求項６０】
無線通信のための装置であって、
サービス提供ノードＢと、１または複数の非サービス提供ノードＢとの間のリソースの協調的な分割によって保護されている１または複数のサブフレームを識別するリソース分割情報（ＲＰＩ）をユーザ機器（ＵＥ）において取得する手段と、
所与のサブフレームにおいて、前記サービス提供ノードＢのデータにおける干渉に寄与する前記１または複数の非サービス提供ノードＢを、前記ＲＰＩに少なくとも部分的に基づいて識別する手段と、
前記ＵＥにおける干渉を推定するために、別の非サービス提供ノードＢではなく、前記干渉に寄与する非サービス提供ノードＢをカウントする手段と、を備える装置。
【請求項６１】
前記カウントする手段は、生の干渉を推定するために、基準信号（ＲＳ）干渉除去（ＩＣ）を実行し、ＩＣ後のＲＳトーンを用いる手段を備える、請求項６０に記載の装置。
【請求項６２】
ＲＳトーンが除去され、ＲＳトーンがサービス提供ノードＢのＲＳトーンと衝突する、干渉に寄与すると判定された各非サービス提供ノードＢについて、前記非サービス提供ノードＢからの受信信号の共分散推定値を、生の干渉推定値に加える手段、をさらに備える請求項６１に記載の装置。
【請求項６３】
無線通信のための装置であって、
サービス提供ノードＢと、１または複数の非サービス提供ノードＢとの間のリソースの協調的な分割によって保護されている１または複数のサブフレームを識別するリソース分割情報（ＲＰＩ）をユーザ機器（ＵＥ）において取得し、
所与のサブフレームにおいて、前記サービス提供ノードＢのデータにおける干渉に寄与する前記１または複数の非サービス提供ノードＢを、前記ＲＰＩに少なくとも部分的に基づいて識別し、
前記ＵＥにおける干渉を推定するために、別の非サービス提供ノードＢではなく、前記干渉に寄与する非サービス提供ノードＢをカウントする、ように構成された少なくとも１つのプロセッサと、
前記少なくとも１つのプロセッサに接続されたメモリと、を備える装置。
【請求項６４】
前記カウントするように構成された少なくとも１つのプロセッサは、生の干渉を推定するために、基準信号（ＲＳ）干渉除去（ＩＣ）を実行することと、ＩＣ後のＲＳトーンを用いることとを備える、請求項６３に記載の装置。
【請求項６５】
前記少なくとも１つのプロセッサは、ＲＳトーンが除去され、ＲＳトーンがサービス提供ノードＢのＲＳトーンと衝突する、干渉に寄与すると判定された各非サービス提供ノードＢについて、前記非サービス提供ノードＢからの受信信号の共分散推定値を、生の干渉推定値に加えるように構成された、請求項６４に記載の装置。
【請求項６６】
無線通信のためのコンピュータ・プログラム製品であって、
サービス提供ノードＢと、１または複数の非サービス提供ノードＢとの間のリソースの協調的な分割によって保護されている１または複数のサブフレームを識別するリソース分割情報（ＲＰＩ）をユーザ機器（ＵＥ）において取得することと、
所与のサブフレームにおいて、前記サービス提供ノードＢのデータにおける干渉に寄与する前記１または複数の非サービス提供ノードＢを、前記ＲＰＩに少なくとも部分的に基づいて識別することと、
前記ＵＥにおける干渉を推定するために、別の非サービス提供ノードＢではなく、前記干渉に寄与する非サービス提供ノードＢをカウントすることと、ためのコードを有するコンピュータ読取可能な媒体を備える、コンピュータ・プログラム製品。
【請求項６７】
前記カウントするためのコードは、生の干渉を推定するために、基準信号（ＲＳ）干渉除去（ＩＣ）を実行することと、ＩＣ後のＲＳトーンを用いることとのためのコードを備える、請求項６６に記載のコンピュータ・プログラム製品。
【請求項６８】
ＲＳトーンが除去され、ＲＳトーンがサービス提供ノードＢのＲＳトーンと衝突する、干渉に寄与すると判定された各非サービス提供ノードＢについて、前記非サービス提供ノードＢからの受信信号の共分散推定値を、生の干渉推定値に加えるためのコードをさらに備える、請求項６７に記載のコンピュータ・プログラム製品。
【発明の詳細な説明】
【関連出願に対する相互参照】
【０００１】
本願は、全体が参照によって本明細書に明確に組み込まれている２０１０年９月３日出願の米国仮出願６１／３８０，０７９号に対する優先権を主張する。
【技術分野】
【０００２】
本開示のある実施形態は、一般に、無線通信に関し、更に詳しくは、リソース分割情報を利用する基準信号処理技術に関する。
【背景技術】
【０００３】
無線通信ネットワークは、例えば音声、ビデオ、パケット・データ、メッセージング、ブロードキャスト等のようなさまざまな通信サービスを提供するために広く開発された。これら無線ネットワークは、利用可能なネットワーク・リソースを共有することにより、複数のユーザをサポートすることができる多元接続ネットワークでありうる。このような多元接続ネットワークの例は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、およびシングル・キャリアＦＤＭＡ（ＳＣ−ＦＤＭＡ）ネットワークを含む。
【０００４】
無線通信ネットワークは、多くのユーザ機器（ＵＥ）のための通信をサポートしうる多くの基地局を含みうる。ＵＥは、ダウンリンクおよびアップリンクによって基地局と通信しうる。ダウンリンク（すなわち順方向リンク）は、基地局からＵＥへの通信リンクを称し、アップリンク（すなわち逆方向リンク）は、ＵＥから基地局への通信リンクを称する。
【０００５】
基地局は、ダウンリンクでＵＥへデータおよび制御情報を送信し、および／または、アップリンクでＵＥからデータおよび制御情報を受信しうる。ダウンリンクにおいては、基地局からの送信が、近隣の基地局からの送信による干渉を観察しうる。アップリンクにおいては、ＵＥからの送信が、近隣の基地局と通信する他のＵＥからの送信への干渉をもたらしうる。この干渉は、ダウンリンクとアップリンクとの両方のパフォーマンスを低下させうる。
【発明の概要】
【０００６】
本開示の態様では、無線通信のための方法が提供される。この方法は一般に、サービス提供ノードＢと、１または複数の非サービス提供ノードＢとの間のリソースの協調的な分割によって保護されている１または複数のサブフレームを識別するリソース分割情報（ＲＰＩ：resource partitioning information）をユーザ機器（ＵＥ）において取得することと、サービス提供ノードＢと非サービス提供ノードＢとの間で、干渉がほとんどまたはまったくない１または複数のサブフレームを、ＲＰＩに少なくとも部分的に基づいて識別することと、ＵＥにおいてなされる１または複数の測定において、別のサブフレームではなく、この識別されたサブフレームの基準信号（ＲＳ）を利用することと、を含む。
【０００７】
本開示の態様では、無線通信のための装置が提供される。この装置は一般に、サービス提供ノードＢと、１または複数の非サービス提供ノードＢとの間のリソースの協調的な分割によって保護されている１または複数のサブフレームを識別するＲＰＩをＵＥにおいて取得する手段と、サービス提供ノードＢと非サービス提供ノードＢとの間で、干渉がほとんどまたはまったくない１または複数のサブフレームを、ＲＰＩに少なくとも部分的に基づいて識別する手段と、ＵＥにおいてなされる１または複数の測定において、別のサブフレームではなく、この識別されたサブフレームのＲＳを利用する手段と、を含む。
【０００８】
本開示の態様では、無線通信のための装置が提供される。この装置は、一般に、少なくとも１つのプロセッサと、少なくとも１つのプロセッサに接続されたメモリとを含む。この少なくとも１つのプロセッサは一般に、サービス提供ノードＢと、１または複数の非サービス提供ノードＢとの間のリソースの協調的な分割によって保護されている１または複数のサブフレームを識別するＲＰＩをＵＥにおいて取得し、サービス提供ノードＢと非サービス提供ノードＢとの間で、干渉がほとんどまたはまったくない１または複数のサブフレームを、ＲＰＩに少なくとも部分的に基づいて識別し、ＵＥにおいてなされる１または複数の測定において、別のサブフレームではなく、この識別されたサブフレームのＲＳを利用するように構成される。
【０００９】
本開示の態様では、無線通信のためのコンピュータ・プログラム製品が提供される。このコンピュータ・プログラム製品は、一般に、サービス提供ノードＢと、１または複数の非サービス提供ノードＢとの間のリソースの協調的な分割によって保護されている１または複数のサブフレームを識別するＲＰＩをＵＥにおいて取得することと、サービス提供ノードＢと非サービス提供ノードＢとの間で、干渉がほとんどまたはまったくない１または複数のサブフレームを、ＲＰＩに少なくとも部分的に基づいて識別することと、ＵＥにおいてなされる１または複数の測定において、別のサブフレームではなく、この識別されたサブフレームのＲＳを利用することと、のためのコードを有するコンピュータ読取可能な媒体を含む。
【００１０】
本開示の態様では、無線通信のための方法が提供される。この方法は一般に、サービス提供ノードＢと、１または複数の非サービス提供ノードＢとの間のリソースの協調的な分割によって保護されている１または複数のサブフレームを識別するＲＰＩをＵＥにおいて取得することと、所与のサブフレームにおいて、サービス提供ノードＢのデータにおける干渉に寄与する１または複数の非サービス提供ノードＢを、ＲＰＩに少なくとも部分的に基づいて識別することと、ＵＥにおける干渉を推定するために、別の非サービス提供ノードＢではなく、この干渉に寄与する非サービス提供ノードＢをカウントすることと、を含む。
【００１１】
本開示の態様では、無線通信のための装置が提供される。この装置は一般に、サービス提供ノードＢと、１または複数の非サービス提供ノードＢとの間のリソースの協調的な分割によって保護されている１または複数のサブフレームを識別するＲＰＩをＵＥにおいて取得する手段と、所与のサブフレームにおいて、サービス提供ノードＢのデータにおける干渉に寄与する１または複数の非サービス提供ノードＢを、ＲＰＩに少なくとも部分的に基づいて識別する手段と、ＵＥにおける干渉を推定するために、別の非サービス提供ノードＢではなく、この干渉に寄与する非サービス提供ノードＢをカウントする手段と、を含む。
【００１２】
本開示の態様では、無線通信のための装置が提供される。この装置は、一般に、少なくとも１つのプロセッサと、少なくとも１つのプロセッサに接続されたメモリとを含む。この少なくとも１つのプロセッサは一般に、サービス提供ノードＢと、１または複数の非サービス提供ノードＢとの間のリソースの協調的な分割によって保護されている１または複数のサブフレームを識別するＲＰＩをＵＥにおいて取得し、所与のサブフレームにおいて、サービス提供ノードＢのデータにおける干渉に寄与する１または複数の非サービス提供ノードＢを、ＲＰＩに少なくとも部分的に基づいて識別し、ＵＥにおける干渉を推定するために、別の非サービス提供ノードＢではなく、この干渉に寄与する非サービス提供ノードＢをカウントする、ように構成される。
【００１３】
本開示の態様では、無線通信のためのコンピュータ・プログラム製品が提供される。このコンピュータ・プログラム製品は、一般に、サービス提供ノードＢと、１または複数の非サービス提供ノードＢとの間のリソースの協調的な分割によって保護されている１または複数のサブフレームを識別するＲＰＩをＵＥにおいて取得することと、所与のサブフレームにおいて、サービス提供ノードＢのデータにおける干渉に寄与する１または複数の非サービス提供ノードＢを、ＲＰＩに少なくとも部分的に基づいて識別することと、ＵＥにおける干渉を推定するために、別の非サービス提供ノードＢではなく、この干渉に寄与する非サービス提供ノードＢをカウントすることと、のためのコードを有するコンピュータ読取可能な媒体を含む。
【図面の簡単な説明】
【００１４】
【図１】図１は、本開示のある態様にしたがう無線通信ネットワークの例を概念的に例示するブロック図である。
【図２】図２は、本開示のある態様にしたがう無線通信ネットワークにおいて、ユーザ機器デバイス（ＵＥ）と通信しているノードＢの例を概念的に例示するブロック図である。
【図３】図３は、本開示のある態様にしたがう無線通信ネットワークにおけるフレーム構造の例を概念的に例示するブロック図である。
【図４】図４は、本開示のある態様にしたがって、通常のサイクリック・プレフィクスを用いたダウンリンクのための２つの典型的なサブフレーム・フォーマットを例示する。
【図５】図５は、本開示のある態様にしたがう典型的な支配的干渉シナリオを図示する。
【図６】図６は、本開示のある態様にしたがう、ヘテロジニアスなネットワークにおけるサブフレームの協調的な分割の例を例示する。
【図７】図７は、本開示のある態様にしたがって、ヘテロジニアスなネットワーク（ＨｅｔＮｅｔ）におけるセル特有基準信号（ＣＲＳ）処理を実行するために、リソース分割情報（ＲＰＩ）を利用することが可能な、サービス提供ノードＢおよびＵＥを備えたシステムの例を例示する。
【図８】図８は、本開示のある態様にしたがって、サービス提供ノードＢと１または複数の非サービス提供ノードＢとの間でほとんどまたはまったく干渉がないサブフレームを用いてＣＲＳ処理を実行するための動作の例を例示する。
【図９】図９は、本開示のある態様にしたがって、分割を認識した（partitioning-aware）干渉推定を実行するための動作の例を例示する。
【発明を実施するための形態】
【００１５】
支配的な干渉シナリオにおける通信は、セル間干渉調整（ＩＣＩＣ）を実行することによってサポートされうる。ＩＣＩＣのある態様によれば、強い干渉元のノードＢの近傍に位置するサービス提供ノードＢへリソースを割り当てるために、リソース調整／分割が実行されうる。干渉元のノードＢは、割当／保護リソースにおける送信を回避しうる。しかしながら、サービス提供ノードＢに割り当てられていない（すなわち、保護されていない）リソースでの干渉元のノードＢからの送信が、サービス提供ノードＢのセル特有基準信号（ＣＲＳ）トーンに、顕著な干渉をもたらしうる。したがって、割り当てられてない／保護されていないリソースのＣＲＳトーンが使用されている場合、サービス提供ノードＢのさまざまな動作へのパフォーマンス低下が生じうる。したがって、本開示のある態様は、ヘテロジニアスなネットワーク（ＨｅｔＮｅｔ）におけるＣＲＳ処理を実行するためにリソース分割情報（ＲＰＩ）を利用する際の、ＵＥ受信機のための技術を提供する。
【００１６】
本明細書に記載された技術は、例えばＣＤＭＡ、ＴＤＭＡ、ＦＤＭＡ、ＯＦＤＭＡ、ＳＣ−ＦＤＭＡ、およびその他のネットワークのようなさまざまな無線通信ネットワークのために使用されうる。用語「ネットワーク」および「システム」は、しばしば置換可能に使用される。ＣＤＭＡネットワークは、例えば、ユニバーサル地上ラジオ・アクセス（ＵＴＲＡ）、ｃｄｍａ２０００等のようなラジオ技術を実現しうる。ＵＴＲＡは、広帯域ＣＤＭＡ（ＷＣＤＭＡ（登録商標））、時分割同期ＣＤＭＡ（ＴＤ−ＳＣＤＭＡ）、およびＣＤＭＡのその他の変形を含んでいる。ｃｄｍａ２０００は、ＩＳ−２０００規格、ＩＳ−９５規格、およびＩＳ−８５６規格をカバーする。ＴＤＭＡネットワークは、例えばグローバル移動体通信システム（ＧＳＭ（登録商標））のようなラジオ技術を実現しうる。ＯＦＤＭＡネットワークは、例えば、イボルブドＵＴＲＡ（Ｅ−ＵＴＲＡ）、ウルトラ・モバイル・ブロードバンド（ＵＭＢ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、Ｆｌａｓｈ−ＯＦＤＭ（登録商標）等のようなラジオ技術を実現する。ＵＴＲＡおよびＥ−ＵＴＲＡは、ユニバーサル・モバイル・テレコミュニケーション・システム（ＵＭＴＳ）の一部である。３ＧＰＰロング・ターム・イボリューション（ＬＴＥ）およびＬＴＥアドバンスト（ＬＴＥ−Ａ）は、周波数分割デュプレクス（ＦＤＤ）と時分割デュプレクス（ＴＤＤ）との両方において、ダウンリンクではＯＦＤＭＡを適用し、アップリンクではＳＣ−ＦＤＭＡを適用するＥ−ＵＴＲＡを用いるＵＭＴＳの新たなリリースである。ＵＴＲＡ、Ｅ−ＵＴＲＡ、ＵＭＴＳ、ＬＴＥ、ＬＴＥ−Ａ、およびＧＳＭは、「第３世代パートナシップ計画」（３ＧＰＰ）と命名された団体からの文書に記載されている。ｃｄｍａ２０００およびＵＭＢは、「第３世代パートナシップ計画２」（３ＧＰＰ２）と命名された団体からの文書に記載されている。本明細書で記載された技術は、他の無線ネットワークおよびラジオ技術と同様に、前述された無線ネットワークおよびラジオ技術のために使用されうる。明確化のために、これら技術のある態様は、以下において、ＬＴＥに関して記載されており、ＬＴＥ用語が以下の説明の多くで使用される。
【００１７】
図１は、リソース分割情報を用いて基準信号処理を実行するために記載された手順が実行されうる無線通信ネットワーク１００を示す。このネットワーク１００は、ＬＴＥネットワークまたはその他いくつかの無線ネットワークでありうる。無線ネットワーク１００は、多くのイボルブド・ノードＢ（ｅＮＢ）１１０およびその他のネットワーク・エンティティを含みうる。ｅＮＢは、ＵＥと通信するエンティティであり、基地局、ノードＢ、アクセス・ポイント等とも称されうる。おのおののｅＮＢは、特定の地理的エリアのために通信有効通信範囲を提供する。３ＧＰＰでは、用語「セル」は、この用語が使用されるコンテキストに依存して、この有効通信範囲エリアにサービス提供しているｅＮＢおよび／またはｅＮＢサブシステムからなる有効通信範囲エリアを称しうる。
【００１８】
ｅＮＢは、マクロ・セル、ピコ・セル、フェムト・セル、および／または、その他のタイプのセルのために、通信有効通信範囲を提供しうる。マクロ・セルは、比較的大きな地理的エリア（例えば、半径数キロメータ）をカバーし、サービス加入を持つＵＥによる無制限のアクセスを許可しうる。ピコ・セルは、比較的小さな地理的エリアをカバーし、サービス加入を持つＵＥによる無制限のアクセスを許可しうる。フェムト・セルは、比較的小さな地理的エリア（例えば、住宅）をカバーし、フェムト・セルとの関連を持つＵＥ（例えば、クローズド加入者グループ（ＣＳＧ）におけるＵＥ）によって制限されたアクセスを許可しうる。マクロ・セルのためのｅＮＢは、マクロｅＮＢと称されうる。ピコ・セルのためのｅＮＢは、ピコｅＮＢと称されうる。フェムト・セルのためのｅＮＢは、フェムトｅＮＢまたはホームｅＮＢ（ＨｅＮＢ）と称されうる。図１に示す例では、ｅＮＢ１１０ａは、マクロ・セル１２０ａのためのマクロｅＮＢであり、ｅＮＢ１１０ｂは、ピコ・セル１２０ｂのためのピコｅＮＢであり、ｅＮＢ１１０ｃは、フェムト・セル１２０ｃのためのフェムトｅＮＢでありうる。ｅＮＢは、１または複数（例えば３つ）のセルをサポートしうる。「ｅＮＢ」、「基地局」、および「セル」という用語は、本明細書において置換可能に使用されうる。
【００１９】
無線ネットワーク１００はさらに、中継局をも含みうる。中継局は、データの伝送を上流局（例えば、ｅＮＢまたはＵＥ）から受信し、データの伝送を下流局（例えば、ＵＥまたはｅＮＢ）へ送信するエンティティである。中継局はまた、他のＵＥのための送信を中継するＵＥでもありうる。図１に示される例において、中継局１１０ｄは、ｅＮＢ１１０ａとＵＥ１２０ｄとの間の通信を容易にするために、マクロｅＮＢ１１０ａおよびＵＥ１２０ｄと通信しうる。中継局はまた、中継ｅＮＢ、中継基地局、リレー等とも称されうる。
【００２０】
無線ネットワーク１００はまた、例えば、マクロｅＮＢ、ピコｅＮＢ、フェムトｅＮＢ、中継ｅＮＢ等のような異なるタイプのｅＮＢを含むヘテロジニアスなネットワークでありうる。これら異なるタイプのｅＮＢは、異なる送信電力レベル、異なる有効通信範囲エリア、および、無線ネットワーク１００内の干渉に対する異なるインパクトを有しうる。例えば、マクロｅＮＢは、高い送信電力レベル（例えば、５乃至４０ワット）を有する一方、ピコｅＮＢ、フェムトｅＮＢ、および中継ｅＮＢは、低い送信電力レベル（例えば、０．１乃至２ワット）を有しうる。
【００２１】
ネットワーク・コントローラ１３０は、ｅＮＢのセットに接続しており、これらｅＮＢに対して調整および制御を提供しうる。ネットワーク・コントローラ１３０は、バックホールを介してｅＮＢと通信しうる。ｅＮＢはまた、例えば、ダイレクトに、または、無線または有線のバックホールを介して非ダイレクトに、互いに通信しうる。
【００２２】
ある態様によれば、以下により詳しく記載されるように、ｅＮＢは、セル間干渉調整（ＩＣＩＣ）を実行しうる。ＩＣＩＣは、強い干渉元のｅＮＢの近傍に配置されたｅＮＢにリソースを割り当てるリソース調整／区分を達成するための、ｅＮＢ間でのネゴシエーションを含みうる。干渉元のｅＮＢは、恐らくはセル特有基準信号（ＣＲＳ）を除き、割り当てられた／保護されたリソースにおける送信を回避しうる。その後、ＵＥは、干渉元のｅＮＢの存在下において、保護されたリソースでｅＮＢと通信しうる。そして、（恐らくはＣＲＳを除き、）干渉元のｅＮＢからの干渉を観察しない。
【００２３】
無線ネットワーク１００の全体にわたって、複数のＵＥ１２０が分布しうる。そして、おのおののＵＥは、固定式または移動式でありうる。ＵＥは、端末、移動局、加入者ユニット、局等とも称されうる。ＵＥは、セルラ電話、携帯情報端末（ＰＤＡ）、無線モデム、無線通信デバイス、ハンドヘルド・デバイス、ラップトップ・コンピュータ、コードレス電話、無線ローカル・ループ（ＷＬＬ）局、スマート・フォン、ネットブック、スマートブック等でありうる。
【００２４】
図２は、図１における基地局／ｅＮＢのうちの１つ、およびＵＥのうちの１つでありうる、基地局／ｅＮＢ１１０とＵＥ１２０との設計のブロック図を示す。基地局１１０は、Ｔ個のアンテナ２３４ａ乃至２３４ｔを備え、ＵＥ１２０は、Ｒ個のアンテナ２５２ａ乃至２５２ｒを備えうる。ここで、一般に、Ｔ≧１およびＲ≧１である。
【００２５】
基地局１１０では、送信プロセッサ２２０が、１または複数のＵＥのためのデータを、データ・ソース２１２から受け取り、ＵＥから受信したＣＱＩに基づいて、各ＵＥのための１または複数の変調および符号化スキーム（ＭＣＳ）を選択し、ＵＥのために選択されたＭＣＳ（単数または複数）に基づいて、各ＵＥのためのデータを処理（例えば、符号化および変調）し、すべてのＵＥのためのデータ・シンボルを提供しうる。送信プロセッサ２２０はまた、（例えば、ＳＲＰＩ等のための）システム情報および制御情報（例えば、ＣＱＩ要求、許可、上位レイヤ・シグナリング等）を処理し、オーバヘッド・シンボルおよび制御シンボルを提供しうる。プロセッサ２２０はまた、基準信号（例えば、ＣＲＳ）および同期信号（例えば、ＰＳＳおよびＳＳＳ）のための基準シンボルを生成しうる。送信（ＴＸ）複数入力複数出力（ＭＩＭＯ）プロセッサ２３０は、適用可能であれば、データ・シンボル、制御シンボル、オーバヘッド・シンボル、および／または、基準シンボルに空間処理（例えば、プリコーディング）を実行し、Ｔ個の出力シンボル・ストリームをＴ個の変調器（ＭＯＤ）２３２ａ乃至２３２ｔに提供しうる。おのおのの変調器２３２は、（例えば、ＯＦＤＭ等のために）それぞれの出力シンボル・ストリームを処理して、出力サンプル・ストリームを得る。おのおのの変調器２３２はさらに、出力サンプル・ストリームを処理（例えば、アナログ変換、増幅、フィルタ、およびアップコンバート）し、ダウンリンク信号を取得する。変調器２３２ａ乃至２３２ｔからのＴ個のダウンリンク信号は、Ｔ個のアンテナ２３４ａ乃至２３４ｔによってそれぞれ送信されうる。
【００２６】
ＵＥ１２０では、アンテナ２５２ａ乃至２５２ｒが、基地局１１０および／またはその他の基地局からダウンリンク信号を受信し、受信した信号を、復調器（ＤＥＭＯＤ）２５４ａ乃至２５４ｒへそれぞれ提供しうる。おのおのの復調器２５４は、受信されたそれぞれの信号を調整（例えば、フィルタ、増幅、ダウンコンバート、およびデジタル化）して、入力サンプルを取得しうる。おのおのの復調器２５４はさらに、（例えば、ＯＦＤＭ等のため）これら入力サンプルを処理して、受信されたシンボルを取得しうる。ＭＩＭＯ検出器２５６は、Ｒ個すべての復調器２５４ａ乃至２５４ｒから受信したシンボルを取得し、適用可能である場合、これら受信されたシンボルに対してＭＩＭＯ検出を実行し、検出されたシンボルを提供しうる。受信プロセッサ２５８は、検出されたシンボルを処理（例えば、復調および復号）し、復号されたデータをＵＥ１２０のためにデータ・シンク２６０に提供し、復号された制御情報およびシステム情報をコントローラ／プロセッサ２８０へ提供しうる。以下に記載されるように、チャネル・プロセッサ２８４は、ＲＳＲＰ、ＲＳＳＩ、ＲＳＲＱ、ＣＱＩ等を決定しうる。
【００２７】
アップリンクでは、ＵＥ１２０において、送信プロセッサ２６４が、データ・ソース２６２からデータを、コントローラ／プロセッサ２８０から（例えば、ＲＳＲＰ、ＲＳＳＩ、ＲＳＲＱ、ＣＱＩ等を備えるレポートのための）制御情報を受け取り、これらを処理しうる。プロセッサ２６４はさらに、１または複数の基準信号のための基準シンボルを生成しうる。送信プロセッサ２６４からのシンボルは、適用可能であれば、ＴＸ  ＭＩＭＯプロセッサ２６６によってプリコードされ、さらに、（例えば、ＳＣ−ＦＤＭ、ＯＦＤＭ等のために）変調器２５４ａ乃至２５４ｒによって処理され、基地局１１０へ送信される。基地局１１０では、ＵＥ１２０およびその他のＵＥからのアップリンク信号が、アンテナ２３４によって受信され、復調器２３２によって処理され、適用可能な場合にはＭＩＭＯ検出器２３６によって検出され、さらに、受信プロセッサ２３８によって処理されて、ＵＥ１２０へ送信された復号されたデータおよび制御情報が取得される。プロセッサ２３８は、復号されたデータをデータ・シンク２３９へ提供し、復号された制御情報をコントローラ／プロセッサ２４０へ提供しうる。
【００２８】
コントローラ／プロセッサ２４０，２８０は、基地局１１０およびＵＥ１２０それぞれにおける動作を指示しうる。基地局１１０におけるプロセッサ２４０および／またはその他のプロセッサおよびモジュールは、本明細書に記載されたように、さまざまなランダム・アクセス手順のためにＵＥを設定するための動作を実行または指示し、このような手順の間、１または複数の属性を識別しうる。例えば、ＵＥ１２０におけるプロセッサ２８０および／またはその他のプロセッサおよびモジュールは、本明細書で説明されたさまざまなランダム・アクセス手順のための動作の実行または指示を行いうる。メモリ２４２，２８２は、基地局１１０およびＵＥ１２０それぞれのためのデータおよびプログラム・コードを格納しうる。スケジューラ２４４は、ダウンリンクおよび／またはアップリンクでのデータ送信のためにＵＥをスケジュールしうる。
【００２９】
図３は、ＬＴＥにおけるＦＤＤのための典型的なフレーム構造３００を示す。ダウンリンクおよびアップリンクのおのおののための送信タイムラインは、ラジオ・フレームの単位に分割されうる。おのおののラジオ・フレームは、（例えば１０ミリ秒（ｍｓ）のような）予め定められた持続時間を有し、０乃至９のインデクスを付された１０個のサブフレームへ分割されうる。おのおののサブフレームは、２つのスロットを含みうる。したがって、おのおののラジオ・フレームは、０乃至１９のインデクスを付された２０のスロットを含みうる。おのおののスロットは、例えば、（図２に示すように）通常のサイクリック・プレフィクスの場合、７つのシンボル期間、拡張されたサイクリック・プレフィクスの場合、６つのシンボル期間のように、Ｌ個のシンボル期間を含みうる。おのおののサブフレームでは、２Ｌ個のシンボル期間が、０乃至２Ｌ−１のインデクスを割り当てられうる。
【００３０】
ＬＴＥでは、ｅＮＢはまた、ｅＮＢによってサポートされるおのおののセルのためのシステム帯域幅の中央の１．０８ＭＨｚで、ダウンリンクで一次同期信号（ＰＳＳ）および二次同期信号（ＳＳＳ）を送信しうる。図３に示すように、ＰＳＳおよびＳＳＳは、通常のサイクリック・プレフィクスを持つ各ラジオ・フレームのサブフレーム０およびサブフレーム５において、シンボル期間６およびシンボル期間５でそれぞれ送信されうる。ＰＳＳおよびＳＳＳは、ＵＥによって、セル探索および獲得のために使用されうる。ｅＮＢは、ｅＮＢによってサポートされているおのおののセルについて、システム帯域幅で、セル特有基準信号（ＣＲＳ）を送信しうる。ＣＲＳは、おのおののサブフレームのあるシンボル期間で送信されうる。そして、チャネル推定、チャネル品質測定、および／または、その他の機能を実行するために、ＵＥによって使用されうる。ｅＮＢはまた、あるラジオ・フレームのスロット１におけるシンボル期間０乃至３で、物理ブロードキャスト・チャネル（ＰＢＣＨ）を送信しうる。ＰＢＣＨは、いくつかのシステム情報を伝送しうる。ｅＮＢは、例えばシステム情報ブロック（ＳＩＢ）のようなその他のシステム情報を、あるサブフレームで、物理ダウンリンク共有チャネル（ＰＤＳＣＨ）で送信しうる。ｅＮＢは、サブフレームの最初のＢ個のシンボル期間において、物理ダウンリンク制御チャネル（ＰＤＣＣＨ）で制御情報／データを送信しうる。ここで、Ｂは各サブフレームについて設定可能でありうる。ｅＮＢは、各サブフレームの残りのシンボル期間において、ＰＤＳＣＨで、トラフィック・データおよび／またはその他のデータを送信しうる。
【００３１】
図４は、通常のサイクリック・プレフィクスを用いたダウンリンクのための典型的なサブフレーム・フォーマット４１０，４２０を示す。ダウンリンクのために利用可能な時間周波数リソースは、リソース・ブロックに分割されうる。おのおののリソース・ブロックは、１つのスロット内に１２のサブキャリアをカバーし、多くのリソース要素を含みうる。おのおののリソース要素は、１つのシンボル期間において１つのサブキャリアをカバーしうる。そして、実数値または複素数値である１つの変調シンボルを送信するために使用されうる。
【００３２】
サブフレーム・フォーマット４１０は、２つのアンテナを装備したｅＮＢのために使用されうる。ＣＲＳは、シンボル期間０，４，７，１１において、アンテナ０，１から送信されうる。基準信号は、送信機および受信機に演繹的に知られている信号であり、パイロットと称されうる。ＣＲＳは、例えば、セル識別情報（ＩＤ）に基づいて生成された、セルに特有の基準信号である。図４では、ラベルＲａを付された所与のリソース要素について、アンテナａから、このリソース要素で変調シンボルが送信され、他のアンテナからは、このリソース要素で、変調シンボルは送信されない。サブフレーム・フォーマット４２０は、４つのアンテナを装備したｅＮＢのために使用されうる。ＣＲＳは、シンボル期間０，４，７，１１において、アンテナ０，１から送信され、シンボル期間１，８において、アンテナ２，３から送信されうる。サブフレーム・フォーマット４１０，４２０の両方について、セルＩＤに基づいて決定されうる、等間隔で配置されたサブキャリアでＣＲＳが送信されうる。異なるｅＮＢは、これらのセルＩＤに依存して、同じキャリアまたは別のサブキャリアで、ＣＲＳを送信しうる。サブフレーム・フォーマット４１０，４２０の両方について、ＣＲＳのために使用されていないリソース要素は、データ（例えば、トラフィック・データ、制御データ、および／または、その他のデータ）を送信するために使用されうる。
【００３３】
ＬＴＥにおけるＰＳＳ、ＳＳＳ、ＣＲＳ、およびＰＢＣＨは、公的に利用可能な「イボルブド・ユニバーサル地上ラジオ・アクセス（Ｅ−ＵＴＲＡ）；物理チャネルおよび変調」（Evolved Universal Terrestrial Radio Access (E-UTRA); Physical Channels and Modulation）と題された３ＧＰＰ  ＴＳ  ３６．２１１に記載されている。
【００３４】
ＬＴＥでは、ＦＤＤについて、ダウンリンクおよびアップリンクのおのおののために、インタレース構造が使用されうる。例えば、０乃至Ｑ−１のインデクスを持つＱ個のインタレースが定義される。ここで、Ｑは、４，６，８，１０またはその他いくつかの値に等しい。おのおののインタレースは、Ｑ個のフレームによって間隔を置かれているサブフレームを含みうる。特に、インタレースｑは、サブフレームｑ、ｑ＋Ｑ、ｑ＋２Ｑ等を含みうる。ここでｑ∈｛０，・・・，Ｑ−１｝である。
【００３５】
無線ネットワークは、ダウンリンクおよびアップリンクにおけるデータ送信のために、ハイブリッド自動再送信（ＨＡＲＱ）をサポートしうる。ＨＡＲＱの場合、パケットが受信機（例えば、ＵＥ）によって正確に復号されるか、または、その他の終了条件に到達するまで、送信機（例えば、ｅＮＢ）は、パケットの１または複数の伝送を送りうる。同期ＨＡＲＱの場合、パケットのすべての送信が、単一のインタレースのサブフレームで送信されうる。非同期ＨＡＲＱの場合、パケットの送信はそれぞれ、任意のサブフレームで送られうる。
【００３６】
ＵＥは、複数のｅＮＢの有効通信範囲内に位置しうる。これらのｅＮＢのうちの１つが、ＵＥにサービス提供するために選択されうる。サービス提供ｅＮＢは、例えば受信信号強度、受信信号品質、経路喪失等のようなさまざまな基準に基づいて選択されうる。受信信号品質は、信号対雑音および干渉比（ＳＩＮＲ）、または基準信号受信品質（ＲＳＲＱ）、またはその他のメトリックによって定量化されうる。ＵＥは、１または複数の干渉元のｅＮＢから高い干渉を観察しうる支配的な干渉シナリオで動作しうる。
【００３７】
図５は、典型的な支配的干渉シナリオを示す。図５に図示される例では、ＵＥ  Ｔは、サービス提供しているｅＮＢ  Ｙと通信し、強い／支配的な干渉元のｅＮＢ  Ｚからの高い干渉を観察しうる。
【００３８】
支配的な干渉シナリオは、制限された関連付けによって生じうる。例えば、図５では、ｅＮＢ  Ｙは、マクロｅＮＢであり、ｅＮＢ  Ｚは、フェムトｅＮＢでありうる。ＵＥ  Ｔ  は、フェムトｅＮＢ  Ｚの近くに位置しており、ｅＮＢ  Ｚについて、高い受信電力を有しうる。しかしながら、ＵＥ  Ｔは、制限された関連付けによって、フェムトｅＮＢ
Ｚへアクセスすることができず、低い受信電力のマクロｅＮＢ  Ｙに接続しうる。ＵＥ
Ｔは、その後、ダウンリンクで、フェムトｅＮＢ  Ｚからの高い干渉を観察し、アップリンクで、フェムトｅＮＢ  Ｚへの高い干渉を引き起こしうる。
【００３９】
支配的な干渉シナリオはまた、範囲拡張によっても生じうる。これは、経路喪失が低く、かつ、ＵＥによって検出されたすべてのｅＮＢの中でも恐らくはＳＩＮＲが低いｅＮＢにＵＥが接続するシナリオである。例えば、図５では、ｅＮＢ  Ｙは、ピコｅＮＢであり、干渉元のｅＮＢ  Ｚは、マクロｅＮＢでありうる。ＵＥ  Ｔは、マクロｅＮＢ  ＺよりもピコｅＮＢ  Ｙの近くに配置され、ピコｅＮＢ  Ｙに関し低い経路喪失しか有さない。しかしながら、ＵＥ  Ｔは、マクロｅＮＢ  Ｚと比較してピコｅＮＢ  Ｙの送信電力レベルが低いことによって、ピコｅＮＢ  Ｙについて、マクロｅＮＢ  Ｚよりも低い受信電力しか有さない。それにも関わらず、ＵＥ  Ｔは、低い経路喪失によって、ピコｅＮＢ  Ｙに接続することが望ましいことがありうる。この結果、ＵＥ  Ｔにとって、所与のデータ・レートの場合、無線ネットワークへの干渉が低くなりうる。
【００４０】
一般に、ＵＥは、任意の数のｅＮＢの有効通信範囲内に位置しうる。１つのｅＮＢが、ＵＥにサービス提供するために選択され、残りのｅＮＢは、干渉元のｅＮＢでありうる。ＵＥは、このように、任意の数の干渉元のｅＮＢを有しうる。明瞭さのために、説明の多くは、サービス提供している１つのｅＮＢ  Ｙと、干渉元の１つのｅＮＢ  Ｚとを備えた図５に示されるシナリオを仮定する。
【００４１】
支配的な干渉シナリオにおける通信は、セル間干渉調整（ＩＣＩＣ）を実行することによってサポートされうる。ＩＣＩＣのある態様によれば、強い干渉元のｅＮＢの近傍に位置するｅＮＢへリソースを割り当てるために、リソース調整／分割が実行されうる。干渉元のｅＮＢは、恐らくはＣＲＳを除いて、割り当てられた／保護されたリソースにおける送信を回避しうる。その後、ＵＥは、干渉元のｅＮＢの存在下において、保護されたリソースでｅＮＢと通信しうる。そして、（恐らくはＣＲＳを除き、）干渉元のｅＮＢからの干渉を観察しない。
【００４２】
一般に、時間リソースおよび／または周波数リソースは、リソース分割によってｅＮＢに割り当てられうる。ある態様によれば、システム帯域幅は、多くのサブ帯域に分割されうる。そして、１または複数のサブ帯域が、ｅＮＢへ割り当てられうる。別の設計では、サブフレームのセットが、ｅＮＢに割り当てられうる。また別の設計では、リソース・ブロックのセットが、ｅＮＢに割り当てられうる。明瞭さのために、以下の説明の多くは、１または複数のインタレースがｅＮＢへ割り当てられうる時分割多重（ＴＤＭ）リソース分割設計を仮定する。割り当てられたインタレース（単数または複数）のサブフレームは、強い干渉元のｅＮＢから、低減された干渉を観察するか、または、まったく干渉を観察しない。
【００４３】
図６は、図５における支配的な干渉シナリオにおける通信をサポートするためのＴＤＭリソース分割の例を示す。図６に示される例において、ｅＮＢ  Ｙは、インタレース０を割り当てられうる。ｅＮＢ  Ｚは、例えば、バックホールを介したｅＮＢ間のネゴシエーションによって、準静的または静的な方式で、インタレース７を割り当てられうる。ｅＮＢ  Ｙは、インタレース０のサブフレームでデータを送信しうる。そして、インタレース７のサブフレームでデータを送信することを回避しうる。反対に、ｅＮＢ  Ｚは、インタレース７のサブフレームでデータを送信しうる。そして、インタレース０のサブフレームでデータを送信することを回避しうる。残りのインタレース１乃至６のサブフレームは、ｅＮＢ  Ｙおよび／またはｅＮＢ  Ｚに適応的／動的に割り当てられうる。
【００４４】
表１は、１つの設計にしたがう異なるタイプのサブフレームをリストする。ｅＮＢ  Ｙの観点から、ｅＮＢ  Ｙに割り当てられたインタレースは、干渉元のｅＮＢからの干渉がほとんどまたはまったくない、ｅＮＢ  Ｙによって使用されうる「保護」サブフレーム（Ｕサブフレーム）を含みうる。別のｅＮＢ  Ｚに割り当てられたインタレースは、ｅＮＢ
Ｙによってデータ送信のために使用することができない、「禁止された」サブフレーム。（Ｎサブフレーム）を含みうる。どのｅＮＢにも割り当てられていないインタレースは、異なるｅＮＢによって使用されうる「共通」サブフレーム（Ｃサブフレーム）を含みうる。適応的に割り当てられたサブフレームは、「Ａ」プレフィクスを用いて示され、保護サブフレーム（ＡＵサブフレーム）、または禁止サブフレーム（ＡＮサブフレーム）、または共通サブフレーム（ＡＣサブフレーム）でありうる。また、別のタイプのサブフレームは、別の名前でも称されうる。例えば、保護サブフレームは、予約サブフレーム、割当サブフレーム等と称されうる。  
【表１】
2014239479.tif 000003
【００４５】
ある態様によれば、ｅＮＢは、固定されたリソース分割情報（ＳＲＰＩ：static resource partitioning information）をＵＥへ送信しうる。ある態様によれば、ＳＲＰＩは、Ｑ個のインタレースのために、Ｑ個のフィールドを備えうる。各インタレースのフィールドは、ｅＮＢに割り当てられ、Ｕサブフレームを含むインタレースを示すために「Ｕ」に設定されうるか、または、別のｅＮＢに割り当てられ、Ｎサブフレームを含むインタレースを示すために「Ｎ」に設定されうるか、または、任意のｅＮＢに適応的に割り当てられ、Ｘサブフレームを含むインタレースを示すために「Ｘ」に設定されうる。ＵＥは、ｅＮＢからＳＲＰＩを受信し、ＳＲＰＩに基づいて、ｅＮＢに関するＵサブフレームおよびＮサブフレームを識別しうる。ＳＲＰＩにおいて「Ｘ」としてマークされている各インタレースについて、ＵＥは、このインタレースにおけるＸサブフレームがＡＵサブフレームになるか、ＡＮサブフレームになるか、またはＡＣサブフレームになるかを知らない場合がありうる。ＵＥは、ＳＲＰＩによるリソース分割の固定された部分しか知らないのに対し、ｅＮＢは、リソース分割の固定された部分と適応部分との両方を知りうる。図６に示される例では、ｅＮＢ  ＹのＳＲＰＩは、インタレース０について「Ｕ」を含み、インタレース７について「Ｎ」を含み、残りのおのおののインタレースについて「Ｘ」を含みうる。ｅＮＢ  ＺのＳＲＰＩは、インタレース７について「Ｕ」を含み、インタレース０について「Ｎ」を含み、残りのおのおののインタレースについて「Ｘ」を含みうる。
【００４６】
ＵＥは、サービス提供ｅＮＢからのＣＲＳに基づいて、サービス提供ｅＮＢの受信信号品質を推定しうる。ＵＥは、受信信号品質に基づいてＣＱＩを決定し、このＣＱＩを、サービス提供ｅＮＢへレポートしうる。サービス提供ｅＮＢは、リンク適応ためにこのＣＱＩを用い、ＵＥへのデータ送信のための変調および符号化スキーム（ＭＣＳ）を選択する。異なるタイプのサブフレームは、異なる量の干渉を有しうるので、非常に異なるＣＱＩを有しうる。特に、保護サブフレーム（例えば、ＵサブフレームおよびＡＵサブフレーム）は、良好なＣＱＩによって特徴付けられうる。なぜなら、支配的な干渉元のｅＮＢは、これらサブフレームでは送信しないからである。対照的に、１または複数の支配的な干渉元のｅＮＢが送信しうる（例えば、Ｎサブフレーム、ＡＮサブフレーム、およびＡＣサブフレームのような）その他のサブフレームの場合、ＣＱＩは、格段に悪化しうる。ＣＱＩの観点から、ＡＵサブフレームは、Ｕサブフレームと等価でありうる（ともに、保護されている）。そして、ＡＮサブフレームは、Ｎサブフレームと等価でありうる（ともに、禁止されている）。ＡＣサブフレームは、完全に異なるＣＱＩによって特徴付けられうる。良好なリンク適応パフォーマンスを達成するために、サービス提供ｅＮＢは、トラフィック・データをＵＥへ送信する各サブフレームについて、比較的正確なＣＱＩを有していなければならない。
【００４７】
（リソース分割情報を利用するＵＥ受信機基準信号処理）  
前述したように、支配的な干渉シナリオにおける通信は、セル間干渉調整（ＩＣＩＣ）を実行することによってサポートされうる。ＩＣＩＣのある態様によれば、強い干渉元のノードＢの近傍に位置するノードＢへリソースを割り当てるために、リソース調整／分割が実行されうる。干渉元のノードＢは、恐らくはＣＲＳを除き、（例えば、図６に例示するようなＴＤＳ分割によって）割り当てられた／保護されたリソースでの送信を回避しうる。その後、ＵＥは、干渉元のノードＢの存在下において、保護されたリソースでノードＢと通信しうる。そして、（恐らくはＣＲＳを除き、）干渉元のノードＢからの干渉を観察しない。
【００４８】
ＴＤＭ分割のある場合であっても、ＣＲＳは、後方互換性を維持するために、ノードＢによって常に送信されうる（例えば、ほとんどブランクなサブフレームで送信されうる）。例えば、リソースは、干渉元のノードＢに割り当てられうるが、サービス提供ノードＢは、干渉元のノードＢに割り当てられたリソース（例えば、ほとんどブランクなサブフレーム）を用いてＣＲＳ（または、他の送信）を送信しうる。したがって、サービス提供ノードＢが、干渉元のノードＢに割り当てられたリソースでＣＲＳを用いている場合、干渉元のノードＢからの送信は、顕著なパフォーマンス低下をもたらしうる。例えば、サービス提供ノードＢのＣＲＳが、強い干渉下にある場合、サービス提供ノードＢは、信頼できるチャネル推定を提供できないことがありうる。したがって、本開示のある態様は、ヘテロジニアスなネットワーク（ＨｅｔＮｅｔ）においてＣＲＳ処理を実行するために、リソース分割情報（ＲＰＩ）を利用する際の、ＵＥ受信機のための技術を提供する。
【００４９】
図７は、本開示のある態様にしたがって、ＨｅｔＮｅｔにおいてＣＲＳ処理を実行するためにＲＰＩを利用することが可能な、サービス提供ノードＢ７１０とユーザ機器（ＵＥ）７２０とを備えたシステム７００の例を例示する。例示されるように、サービス提供ノードＢ７１０は、（例えば、サービス提供ノードＢ７１０と非サービス提供ノードＢとの間の、バックホールを介したネゴシエーションによって）ＲＰＩを生成するためのＲＰＩ生成モジュール７１４を含みうる。ＲＰＩは、送信機モジュール７１２を介してＵＥ７２０に送信されうる。
【００５０】
ＵＥ７２０は、受信機モジュール７２６を介してＲＰＩを受信しうる。ＵＥ７２０は、サービス提供ノードＢ７１０からＲＳを受信している間、非サービス提供ノードＢのうちの１または複数からの送信をも受信する。これは、干渉をもたらしうる。ＵＥ７２０は、ＲＰＩに基づいて、ＣＲＳ処理のためにどのサブフレームを使用するのかを決定しうる。例示されるように、ＵＥ７２０は、サービス提供ノードＢ７１０から、使用可能なＲＳを処理するためのＲＳ処理モジュール７２４を含みうる。使用可能なＲＳは、ＣＲＳ処理に使用されるためにサブフレームで送信される。そして、ＵＥは、この使用可能なＲＳを用いて、測定を実行しうる。例示されていないが、ＵＥ７２０は、非サービス提供ノードＢのうちの１または複数からの、使用可能なＲＳを用いて、測定を実行しうる。ＵＥ７２０は、送信機モジュール７２２を介してフィードバックを送信しうる。そして、サービス提供ノードＢ７１０は、受信機モジュール７１６を介してフィードバックを受信しうる。
【００５１】
図８は、本開示のある態様にしたがって、サービス提供ノードＢと１または複数の非サービス提供ノードＢとの間でほとんどまたはまったく干渉がないサブフレームを用いてＣＲＳ処理を実行するための動作８００の例を例示する。この動作８００は、例えば、ＵＥによって実行されうる。８０２では、ＵＥは、サービス提供ノードＢと、１または複数の非サービス提供ノードＢとの間のリソースの協調的な分割によって、保護されている１または複数のサブフレームを識別するＲＰＩを取得しうる。
【００５２】
８０４では、ＵＥは、本明細書においてさらに後述されるように、サービス提供ノードＢと非サービス提供ノードＢとの間でほとんどまたはまったく干渉がない１または複数のサブフレームを、ＲＰＩに少なくとも部分的に基づいて識別しうる。
【００５３】
８０６では、ＵＥは、ＵＥにおいてなされる１または複数の測定において、別のサブフレームではなく、この識別されたサブフレームのＲＳを利用しうる。
【００５４】
いくつかの実施形態の場合、ＵＥは、トラッキング・ループ（例えば、時間トラッキング・ループおよび周波数トラッキング・ループ）および測定のために、サブフレームのサブセットを使用しうる。これら測定の例は、ラジオ・リンク・モニタリング（ＲＬＭ）、基準信号受信電力（ＲＳＲＰ）、および基準信号受信品質（ＲＳＲＱ）を備える。サブフレームのサブセットは、「クリーンな」サブフレームのみを備える。例えば、８０４において、識別されたサブフレームは、サービス提供ノードＢとの通信のために使用可能なサブフレーム（例えば、Ｕサブフレーム）であるとＲＰＩが指定した１または複数のサブフレームを備えうる。非サービス提供ノードＢのＣＲＳ処理を実行するために、非サービス提供ノードＢに割り当てられた使用可能なサブフレームのＲＳが使用されうる。
【００５５】
別の例として、識別されたサブフレームは、使用可能なサブフレームに加えて、良好なＲＳ品質を有するとしてＵＥが識別する１または複数のサブフレームを備えうる。いくつかの実施形態の場合、ＵＥは、非サービス提供ノードＢからの送信がサブフレームにおいてサービス提供ノードＢ  ＲＳと干渉するか否かに基づいて、１または複数のサブフレームを、良好なＲＳ品質を有するものとして識別しうる。例えば、非サービス提供ノードＢのうちの少なくとも１つが、サブフレームでデータを送信し、データが、サービス提供ノードＢのＲＳトーンと衝突し、非サービス提供ノードＢが、サービス提供ノードＢよりも強いＲＳ強度を有する場合、非サービス提供ノードＢからの送信が、サブフレームにおいてサービス提供ノードＢと干渉しうる。
【００５６】
いくつかの実施形態の場合、ＵＥは、各セルの受信ＣＲＳ強度を測定しうる。これによって、ＵＥは、サービス提供セルよりもどのセルが強く、どのセルが弱いのかを判定できるようになりうる。ＵＥは、各セルのチャネル・インパルス応答（ＣＩＲ）を導出しうる。ＵＥは、より弱いセルのＣＩＲを高い信頼性で推定するために、ＣＲＳ干渉除去（ＩＣ）を使用しうる。いくつかの実施形態の場合、（セル「Ａ」として示される）各セルのトラッキング・ループおよび測定のために、ＵＥは、サブフレームでＣＲＳから導出されたＣＩＲを使用しうる。ここで、サブフレームのセル「Ａ」のＳＲＰＩは、「Ｕ」である。
【００５７】
その他の実施形態の場合、ＵＥは、サブフレームでＣＲＳから導出されたＣＩＲを使用しうる。ここでは、セル「Ａ」のＣＲＳに強い干渉はない。セル「Ａ」のＣＲＳにおける強い干渉は、セル「Ａ」と衝突しないＣＲＳトーン位置を有するセル「Ｂ」を備えうる。言い換えれば、セル「Ｂ」からの制御／データ送信がある場合、セル「Ａ」のＣＲＳに干渉が存在しうる。さらに、セル「Ｂ」がサブフレームにおいて潜在的にアクティブである場合（例えば、ＳＲＰＩがＵまたはＸの何れかである場合）、制御／データ送信が、セル「Ｂ」から送信されうる。さらなる例として、セル「Ａ」のＣＲＳにおける強い干渉は、セル「Ａ」よりも強いＣＲＳ強度を有するセル「Ｂ」を備えうる（すなわち、制御／データ送信が、強い干渉を引き起こしうる）。
【００５８】
いくつかの実施形態の場合、ＵＥ受信機は、分割を認識した（partitioning-aware）干渉推定を実行しうる。ＳＩＢ１／ページング送信は、時分割多重（ＴＤＭ）分割に従わない場合があり、例えば周波数分割多重（ＦＤＭ）分割のような他の方法を必要としうる。ＳＩＢ１／ページングがＦＤＭで送信される場合、ＦＤＭを利用するために、ＳＩＢ１／ページングのための特別なチャネル推定が必要とされうる。制御領域におけるように、特別なチャネル推定は、ＲＳシンボル０を使用しないことがあり、干渉元のノードＢからのＰＤＣＣＨ送信による強い干渉下にありうる。この特別なチャネル推定は、強い干渉下においてリソース・ブロック（ＲＢ）を用いることを回避するために、ＦＤＭの知識（ＲＢ割当）を利用しうる。いくつかの実施形態の場合、ＵＥは、ＲＰＩ（例えば、ＳＲＰＩ）およびその他の情報に基づいて、どのチャネル推定アルゴリズムを使用するのかを決定しうる。例えば、ＵＥがサブフレームでＳＩＢ１／ページングを復号することを意図しており（これは、クロス・サブフレームＰＤＣＣＨを受信することによって示されうる）、このサブフレームのサービス提供セルのＲＰＩがＮまたはＸであり、サービス提供セルのＣＲＳに強い干渉がある場合、ＵＥは、ＳＩＢ１／ページングのために、特別なチャネル推定アルゴリズムを使用しうる。そうではない場合、ＵＥは、通常のチャネル推定アルゴリズムを使用しうる。
【００５９】
各ラジオ・フレームのサブフレーム０における通常のサイクリック・プレフィクス（ＣＰ）の場合におけるＯＦＤＭシンボル７（拡張されたＣＰにおけるシンボル６および９）におけるＣＲＳは、図３に例示されるように、近隣の物理ブロードキャスト・チャネル（ＰＢＣＨ）送信からの強い干渉を観察しうる。いくつかの実施形態の場合、ＵＥは、ＰＢＣＨによって強い干渉を受けているＣＲＳトーンを使用することを回避しうる。例えば、セル「Ａ」のチャネル推定のために、ＵＥは、近隣セル（例えば、セル「Ｂ」）のＰＢＣＨによって強く干渉を受けたＣＲＳトーンを用いることを回避しうる。いくつかの実施形態の場合、セル「Ｂ」のＰＢＣＨからセル「Ａ」のＣＲＳへの強い干渉は、セル「Ａ」と衝突しないＣＲＳトーン位置を有するセル「Ｂ」を備えうる。言い換えれば、セル「Ｂ」からのＰＢＣＨ送信は、セル「Ａ」のＣＲＳにおける干渉を引き起こしうる。その他の実施形態の場合、セル「Ｂ」は、ＰＢＣＨ送信が強い干渉を引き起こしうるセル「Ａ」よりも強いＣＲＳ強度を有しうる。
【００６０】
図８に戻って示すように、ＵＥは、（サービス提供ノードＢと非サービス提供ノードＢとの間にほとんどまたはまったく干渉がない、）識別されたサブフレームのうちの少なくとも１つにおいて、保護されていない他の領域から保護されている１または複数の領域（例えば、リソース・ブロックおよびシンボル）を識別しうる。いくつかの実施形態の場合、８０６では、ＵＥは、ＵＥにおいてなされる１または複数の測定において、他の領域ではなく、保護された領域のＲＳを利用しうる。保護された領域のＲＳを利用することは、保護された領域外のＲＳシンボルを用いないチャネル推定を実行することを備えうる。保護されていない他の領域は、非サービス提供ノードＢからの物理ブロードキャスト・チャネル（ＰＢＣＨ）送信およびシステム情報ブロック（ＳＩＢ）送信を備えうる。これら送信は、前述したように、リソース分割に従わない場合がありうる。
【００６１】
いくつかの実施形態の場合、ＵＥ受信機は、アクティブな干渉元を、およびこれらのみを、干渉推定に考慮することによって、分割を認識した（partitioning-aware）干渉推定を実行しうる。
【００６２】
図９は、本開示のある態様にしたがう分割を認識した（partitioning-aware）干渉推定を実行するための動作９００の例を例示する。この動作９００は、例えば、ＵＥによって実行されうる。９０２では、ＵＥは、サービス提供ノードＢと、１または複数の非サービス提供ノードＢとの間のリソースの協調的な分割によって、保護されている１または複数のサブフレームを識別するＲＰＩを取得しうる。
【００６３】
９０４では、ＵＥは、所与のサブフレームにおいて、サービス提供ノードＢのデータにおける干渉に寄与する１または複数の非サービス提供ノードＢを、ＲＰＩに少なくとも部分的に基づいて識別しうる。
【００６４】
９０６では、ＵＥは、ＵＥにおける干渉を推定するために、別の非サービス提供ノードＢではなく、この干渉に寄与する非サービス提供ノードＢをカウントしうる。ここで、干渉を推定することは、生の干渉を推定するために、ＲＳ干渉除去（ＩＣ）を実行することと、ＩＣ後のＲＳトーンを用いることとを備えうる。ＲＳトーンが除去され、ＲＳトーンがサービス提供ノードＢのＲＳトーンと衝突する、干渉に寄与すると判定された各非サービス提供ノードＢについて、ＵＥは、非サービス提供ノードＢからの受信信号の共分散推定値を、生の干渉推定値に加えうる。
【００６５】
生の干渉推定値は、ＣＲＳに基づきうるか、または、例えばデータ・トーンまたはＵＥ−ＲＳのようなその他の信号に基づきうる。ＩＣ後のＣＲＳトーンは、生の干渉を推定するために使用されうる。これは、衝突していないＣＲＳ位置を持つセルからの干渉のみならず、バックグランド干渉をも取得しうる。衝突しているＣＲＳ位置を有する干渉元のセルのおのおのについて、干渉元のセルが潜在的にアクティブである場合、ＵＥは、セルからの受信信号の共分散推定値を、生の干渉推定値に明示的に追加しうる。干渉元のセルは、このセルのＲＰＩがＵまたはＸである場合、アクティブであると考慮されうる。さらに、干渉元のセルがアクティブであるか否かは、ＳＲＰＩとその他の情報（例えば、負荷インジケータ）との組み合わせに基づきうる。
【００６６】
分割を認識した（partitioning-aware）干渉推定を判定するための設計の例は、  
ｙ＝ｈ０ｘ０＋ｈ１ｘ１＋ｈ２ｘ２＋ｈ３ｘ３＋ｎ  である。  ここで、ｎ：バックグランド干渉および雑音、  
ｈ０ｘ０：サービス提供セル・チャネルおよび信号、  
ｈｉｘｉ（ｉ＞０）：干渉元ｉチャネルおよび信号、  
干渉元１：データをアクティブに送信し、サービス提供セルと衝突しているＲＳ、  
干渉元２：非アクティブ（ｘ＝０）であって、サービス提供セルと衝突しているＲＳ、  
干渉元３：アクティブであるか、またはアクティブではなく、サービス提供セルと衝突していないＲＳ。  干渉元１，２，３のＣＲＳ干渉除去後、サービス提供セルＣＲＳトーンは、ｈ３ｘ３＋ｎを、干渉と見なしうる。したがって、アクティブである場合、干渉元３（ｈ３ｘ３）が取得されるが、干渉元１（ｈ１ｘ１）および干渉元２（ｈ２ｘ２）は、生の干渉推定値に取り込まれないことがありうる。サービス提供セルは、干渉元１および干渉元３からの干渉を認識するが、干渉元１は取得されておらず、干渉元１のＮｔ  ａｄｄ−ｂａｃｋが必要とされうる。干渉元２は、データ送信において非アクティブであるので、干渉元２のＮｔ
ａｄｄ−ｂａｃｋは不要でありうる。したがって、最終的な干渉推定値は、Ｒｎｎ＋ｈ１ｈ１＊となりうる。ここで、Ｒｎｎは、バックグランド干渉および雑音（ｎ）と、干渉元３（ｈ３ｘ３）からの干渉とを取り込んだ生の干渉推定値でありうる。
【００６７】
当業者であれば、情報および信号は、さまざまな異なる技術および技法のうちの何れかを用いて表されうることを理解するであろう。例えば、前述された説明を通じて参照されうるデータ、命令群、コマンド、情報、信号、ビット、シンボル、およびチップは、電圧、電流、電磁波、磁場または磁性粒子、光学場または光学粒子、あるいはこれらの任意の組み合わせによって表現されうる。
【００６８】
当業者であればさらに、本明細書の開示に関連して記載されたさまざまな例示的な論理ブロック、モジュール、回路、およびアルゴリズム・ステップが、電子工学ハードウェア、コンピュータ・ソフトウェア、あるいはこれらの組み合わせとして実現されることを理解するであろう。ハードウェアとソフトウェアとの相互置換性を明確に説明するために、さまざまな例示的な構成要素、ブロック、モジュール、回路、およびステップが、これらの機能の観点から一般的に記載された。これら機能がハードウェアとしてまたはソフトウェアとして実現されるかは、特定の用途およびシステム全体に課せられている設計制約に依存する。当業者であれば、特定の用途のおのおのに応じて変化する方式で、前述した機能を実現しうる。しかしながら、この適用判断は、本発明の範囲からの逸脱をもたらすものと解釈されるべきではない。
【００６９】
本明細書の開示に関連して記述されたさまざまな例示的な論理ブロック、モジュール、および回路は、汎用プロセッサ、デジタル信号プロセッサ（ＤＳＰ）、特定用途向け集積回路（ＡＳＩＣ）、フィールド・プログラマブル・ゲート・アレイ（ＦＰＧＡ）あるいはその他のプログラマブル論理デバイス、ディスクリート・ゲートあるいはトランジスタ・ロジック、ディスクリート・ハードウェア構成要素、または前述された機能を実現するために設計された上記何れかの組み合わせを用いて実現または実施されうる。汎用プロセッサは、マイクロ・プロセッサでありうるが、代替例では、このプロセッサは、従来のプロセッサ、コントローラ、マイクロ・コントローラ、またはステート・マシンでありうる。プロセッサは、例えばＤＳＰとマイクロ・プロセッサとの組み合わせ、複数のマイクロ・プロセッサ、ＤＳＰコアと連携する１または複数のマイクロ・プロセッサ、またはその他任意のこのような構成であるコンピューティング・デバイスの組み合わせとして実現されうる。
【００７０】
本明細書の開示に関連して説明された方法またはアルゴリズムのステップは、ハードウェアで直接的に、プロセッサによって実行されるソフトウェア・モジュールで、またはこの２つの組合せで実施することができる。ソフトウェア・モジュールは、ＲＡＭメモリ、フラッシュ・メモリ、ＲＯＭメモリ、ＥＰＲＯＭメモリ、ＥＥＰＲＯＭメモリ、レジスタ、ハード・ディスク、リムーバブル・ディスク、ＣＤ−ＲＯＭ、あるいは当該技術分野で知られているその他の型式の記憶媒体に存在しうる。典型的な記憶媒体は、プロセッサが記憶媒体から情報を読み取り、また記憶媒体に情報を書き込むことができるようにプロセッサに結合される。あるいは、この記憶媒体は、プロセッサに統合されうる。このプロセッサと記憶媒体とは、ＡＳＩＣ内に存在しうる。ＡＳＩＣは、ユーザ端末内に存在しうる。あるいは、プロセッサおよび記憶媒体は、ユーザ端末内のディスクリートな構成要素として存在しうる。
【００７１】
１または複数の典型的な設計では、記載された機能は、ハードウェア、ソフトウェア、ファームウェア、あるいはそれらの任意の組み合わせによって実現されうる。ソフトウェアで実現される場合、これら機能は、コンピュータ読取可能な媒体上に格納されるか、あるいは、コンピュータ読取可能な媒体上の１または複数の命令群またはコードとして送信されうる。コンピュータ読取可能な媒体は、コンピュータ記憶媒体と通信媒体との両方を含む。これらは、コンピュータ・プログラムのある場所から別の場所への転送を容易にする任意の媒体を含む。記憶媒体は、汎用コンピュータまたは特別目的コンピュータによってアクセスされうる任意の利用可能な媒体でありうる。限定ではなく、一例として、このようなコンピュータ読取可能な媒体は、ＲＡＭ、ＲＯＭ、ＥＥＰＲＯＭ、ＣＤ−ＲＯＭまたはその他の光ディスク記憶装置、磁気ディスク記憶装置またはその他の磁気記憶装置、あるいは、命令群またはデータ構造の形式で所望のプログラム・コード手段を伝送または格納するために使用され、かつ、汎用コンピュータまたは特別目的コンピュータ、あるいは、汎用プロセッサまたは特別目的プロセッサによってアクセスされうるその他任意の媒体を備えうる。さらに、いかなる接続も、コンピュータ読取可能な媒体として適切に称される。同軸ケーブル、光ファイバ・ケーブル、ツイスト・ペア、デジタル加入者線（ＤＳＬ）、あるいは、例えば赤外線、無線およびマイクロ波のような無線技術を使用して、ウェブサイト、サーバ、あるいはその他の遠隔ソースからソフトウェアが送信される場合、同軸ケーブル、光ファイバ・ケーブル、ツイスト・ペア、ＤＳＬ、あるいは、例えば赤外線、無線およびマイクロ波のような無線技術が、媒体の定義に含まれる。本明細書で使用されるディスク（ｄｉｓｋおよびｄｉｓｃ）は、コンパクト・ディスク（ｄｉｓｃ）（ＣＤ）、レーザ・ディスク（ｄｉｓｃ）、光ディスク（ｄｉｓｃ）、デジタル多用途ディスク（ｄｉｓｃ）（ＤＶＤ）、フロッピー（登録商標）ディスク（ｄｉｓｋ）、およびブルー・レイ・ディスク（ｄｉｓｃ）を含む。これらｄｉｓｃは、レーザを用いてデータを光学的に再生する。それに対して、ｄｉｓｋは、通常、データを磁気的に再生する。前述した組み合わせもまた、コンピュータ読取可能な媒体の範囲内に含まれるべきである。
【００７２】
本開示の上記記載は、当業者をして、本開示の製造または利用を可能とするように提供される。本開示に対するさまざまな変形は、当業者に容易に明らかであって、本明細書で定義された一般原理は、本開示の精神または範囲から逸脱することなく、他のバリエーションに適用されうる。このように、本開示は、本明細書で示された例および設計に限定されることは意図されておらず、本明細書で開示された原理および新規な特徴に一致した最も広い範囲に相当するとされている。
【図１】
2014239479.tif 000004
【図２】
2014239479.tif 000005
【図３】
2014239479.tif 000006
【図４】
2014239479.tif 000007
【図５】
2014239479.tif 000008
【図６】
2014239479.tif 000009
【図７】
2014239479.tif 000010
【図８】
2014239479.tif 000011
【図９】
2014239479.tif 000012
【手続補正書】
【提出日】平成26年8月18日(2014.8.18)
【手続補正１】
【補正対象書類名】特許請求の範囲
【補正対象項目名】全文
【補正方法】変更
【補正の内容】
【特許請求の範囲】
【請求項１】
無線通信のための方法であって、
サービス提供ノードＢと、１または複数の非サービス提供ノードＢとの間のリソースの協調的な分割によって保護されている１または複数のサブフレームを識別するリソース分割情報（ＲＰＩ）をユーザ機器（ＵＥ）において取得することと、
所与のサブフレームにおいて、前記サービス提供ノードＢのデータにおける干渉に寄与する前記１または複数の非サービス提供ノードＢを、前記ＲＰＩに少なくとも部分的に基づいて識別することと、
前記ＵＥにおける干渉を推定するために、別の非サービス提供ノードＢではなく、干渉に寄与する前記非サービス提供ノードＢをカウントすることと、を備える方法。
【請求項２】
前記カウントすることは、生の干渉を推定するために、基準信号（ＲＳ）干渉除去（ＩＣ）を実行することと、ＩＣ後のＲＳトーンを用いることとを備える、請求項１に記載の方法。
【請求項３】
ＲＳトーンが除去され、ＲＳトーンがサービス提供ノードＢのＲＳトーンと衝突する、干渉に寄与すると判定された各非サービス提供ノードＢについて、前記非サービス提供ノードＢからの受信信号の共分散推定値を、生の干渉推定値に加えること、をさらに備える請求項２に記載の方法。
【請求項４】
無線通信のための装置であって、
サービス提供ノードＢと、１または複数の非サービス提供ノードＢとの間のリソースの協調的な分割によって保護されている１または複数のサブフレームを識別するリソース分割情報（ＲＰＩ）をユーザ機器（ＵＥ）において取得する手段と、
所与のサブフレームにおいて、前記サービス提供ノードＢのデータにおける干渉に寄与する前記１または複数の非サービス提供ノードＢを、前記ＲＰＩに少なくとも部分的に基づいて識別する手段と、
前記ＵＥにおける干渉を推定するために、別の非サービス提供ノードＢではなく、前記干渉に寄与する非サービス提供ノードＢをカウントする手段と、を備える装置。
【請求項５】
前記カウントする手段は、生の干渉を推定するために、基準信号（ＲＳ）干渉除去（ＩＣ）を実行し、ＩＣ後のＲＳトーンを用いる手段を備える、請求項４に記載の装置。
【請求項６】
ＲＳトーンが除去され、ＲＳトーンがサービス提供ノードＢのＲＳトーンと衝突する、干渉に寄与すると判定された各非サービス提供ノードＢについて、前記非サービス提供ノードＢからの受信信号の共分散推定値を、前記生の干渉推定の値に加える手段、をさらに備える請求項５に記載の装置。
【請求項７】
無線通信のための装置であって、
サービス提供ノードＢと、１または複数の非サービス提供ノードＢとの間のリソースの協調的な分割によって保護されている１または複数のサブフレームを識別するリソース分割情報（ＲＰＩ）をユーザ機器（ＵＥ）において取得し、
所与のサブフレームにおいて、前記サービス提供ノードＢのデータにおける干渉に寄与する前記１または複数の非サービス提供ノードＢを、前記ＲＰＩに少なくとも部分的に基づいて識別し、
前記ＵＥにおける干渉を推定するために、別の非サービス提供ノードＢではなく、干渉に寄与する前記非サービス提供ノードＢをカウントする、ように構成された少なくとも１つのプロセッサと、
前記少なくとも１つのプロセッサに接続されたメモリと、を備える装置。
【請求項８】
前記カウントするように構成された少なくとも１つのプロセッサは、生の干渉を推定するために、基準信号（ＲＳ）干渉除去（ＩＣ）を実行することと、ＩＣ後のＲＳトーンを用いることとを備える、請求項７に記載の装置。
【請求項９】
前記少なくとも１つのプロセッサは、ＲＳトーンが除去され、ＲＳトーンがサービス提供ノードＢのＲＳトーンと衝突する、干渉に寄与すると判定された各非サービス提供ノードＢについて、前記非サービス提供ノードＢからの受信信号の共分散推定値を、生の干渉推定値に加えるように構成された、請求項８に記載の装置。
【請求項１０】
無線通信のためのプログラムであって、
少なくとも１つのプロセッサに、サービス提供ノードＢと、１または複数の非サービス提供ノードＢとの間のリソースの協調的な分割によって保護されている１または複数のサブフレームを識別するリソース分割情報（ＲＰＩ）をユーザ機器（ＵＥ）において取得させるためのコードと、
少なくとも１つのプロセッサに、所与のサブフレームにおいて、前記サービス提供ノードＢのデータにおける干渉に寄与する前記１または複数の非サービス提供ノードＢを、前記ＲＰＩに少なくとも部分的に基づいて識別させるためのコードと、
少なくとも１つのプロセッサに、前記ＵＥにおける干渉を推定するために、別の非サービス提供ノードＢではなく、前記干渉に寄与する非サービス提供ノードＢをカウントさせるためのコードとを記憶するコンピュータ読取可能な記憶媒体。
【請求項１１】
前記すくなくとも１つのプロセッサにカウントさせるためのコードは、生の干渉を推定するために、前記少なくとも１つのプロセッサに、基準信号（ＲＳ）干渉除去（ＩＣ）を実行させるためのコードと、ＩＣ後のＲＳトーンを用いさせるためのコードとを備える、請求項１０に記載のコンピュータ読取可能な記憶媒体。
【請求項１２】
少なくとも１つのプロセッサに、ＲＳトーンが除去され、ＲＳトーンがサービス提供ノードＢのＲＳトーンと衝突する、干渉に寄与すると判定された各非サービス提供ノードＢについて、前記非サービス提供ノードＢからの受信信号の共分散推定値を、前記生の干渉推定の値に加えさせるためのコードをさらに備える、請求項１１に記載のコンピュータ読取可能な記憶媒体。
【手続補正２】
【補正対象書類名】明細書
【補正対象項目名】００７２
【補正方法】変更
【補正の内容】
【００７２】
本開示の上記記載は、当業者をして、本開示の製造または利用を可能とするように提供される。本開示に対するさまざまな変形は、当業者に容易に明らかであって、本明細書で定義された一般原理は、本開示の精神または範囲から逸脱することなく、他のバリエーションに適用されうる。このように、本開示は、本明細書で示された例および設計に限定されることは意図されておらず、本明細書で開示された原理および新規な特徴に一致した最も広い範囲に相当するとされている。
以下に、本願出願の当初の特許請求の範囲に記載された発明を付記する。
[Ｃ１]
無線通信のための方法であって、
サービス提供ノードＢと、１または複数の非サービス提供ノードＢとの間のリソースの協調的な分割によって保護されている１または複数のサブフレームを識別するリソース分割情報（ＲＰＩ）をユーザ機器（ＵＥ）において取得することと、
前記サービス提供ノードＢと前記非サービス提供ノードＢとの間で、干渉がほとんどまたはまったくない１または複数のサブフレームを、前記ＲＰＩに少なくとも部分的に基づいて識別することと、
前記ＵＥにおいてなされる１または複数の測定において、別のサブフレームではなく、前記識別されたサブフレームの基準信号（ＲＳ）を利用することと、を備える方法。
[Ｃ２]
前記識別されたサブフレームは、前記サービス提供ノードＢとの通信のために使用可能なサブフレームとして前記ＲＰＩが指定した１または複数のサブフレームを備える、Ｃ１に記載の方法。
[Ｃ３]
前記識別されたサブフレームは、前記使用可能なサブフレームに加えて、良好なＲＳ品質を有するとして前記ＵＥが識別した１または複数のサブフレームを備える、Ｃ２に記載の方法。
[Ｃ４]
前記ＵＥは、前記非サービス提供ノードＢからの送信がサブフレームにおいてサービス提供ノードＢのＲＳと干渉するか否かに基づいて、前記１または複数のサブフレームを、良好なＲＳ品質を有するものとして識別する、Ｃ３に記載の方法。
[Ｃ５]
前記非サービス提供ノードＢのうちの少なくとも１つが、前記サブフレームでデータを送信し、前記データが、前記サービス提供ノードＢのＲＳトーンと衝突し、前記非サービス提供ノードＢが、前記サービス提供ノードＢよりも強いＲＳ強度を有する場合、前記非サービス提供ノードＢからの送信が、前記サブフレームにおいて、前記サービス提供ノードＢのＲＳと干渉する、Ｃ４に記載の方法。
[Ｃ６]
前記識別されたサブフレームのうちの少なくとも１つにおいて、保護されていない別の領域から、保護されている１または複数の領域を識別すること、をさらに備えるＣ１に記載の方法。
[Ｃ７]
前記１または複数の領域は、リソース・ブロックおよびシンボルを備える、Ｃ６に記載の方法。
[Ｃ８]
前記利用することは、前記ＵＥにおいてなされる１または複数の測定において、前記別の領域ではなく、前記保護されている領域のＲＳを利用することを備える、Ｃ６に記載の方法。
[Ｃ９]
前記保護されている領域のＲＳを利用することは、トラッキング・ループと測定とを備える、Ｃ８に記載の方法。
[Ｃ１０]
前記保護されている領域のＲＳを利用することは、前記保護されている領域外のＲＳシンボルを使用しないチャネル推定を実行することを備える、Ｃ８に記載の方法。
[Ｃ１１]
前記保護されていない別の領域は、前記非サービス提供ノードＢからの物理ブロードキャスト・チャネル（ＰＢＣＨ）送信およびシステム情報ブロック（ＳＩＢ）送信を備え、これら送信は、リソース分割に従わない、Ｃ６に記載の方法。
[Ｃ１２]
前記ＵＥにおいてなされる１または複数の測定において、前記別のサブフレームではなく、前記識別されたサブフレームのＲＳを利用することは、トラッキング・ループと測定とを備える、Ｃ１に記載の方法。
[Ｃ１３]
前記トラッキング・ループは、時間トラッキング・ループと周波数トラッキング・ループとを備える、Ｃ１２に記載の方法。
[Ｃ１４]
これら測定は、ラジオ・リンク・モニタリング（ＲＬＭ）、基準信号受信電力（ＲＳＲＰ）、および基準信号受信品質（ＲＳＲＱ）を備える、Ｃ１２に記載の方法。
[Ｃ１５]
無線通信のための装置であって、
サービス提供ノードＢと、１または複数の非サービス提供ノードＢとの間のリソースの協調的な分割によって保護されている１または複数のサブフレームを識別するリソース分割情報（ＲＰＩ）をユーザ機器（ＵＥ）において取得する手段と、
前記サービス提供ノードＢと前記非サービス提供ノードＢとの間で、干渉がほとんどまたはまったくない１または複数のサブフレームを、前記ＲＰＩに少なくとも部分的に基づいて識別する手段と、
前記ＵＥにおいてなされる１または複数の測定において、別のサブフレームではなく、前記識別されたサブフレームの基準信号（ＲＳ）を利用する手段と、を備える装置。
[Ｃ１６]
前記識別されたサブフレームは、前記サービス提供ノードＢとの通信のために使用可能なサブフレームとして前記ＲＰＩが指定した１または複数のサブフレームを備える、Ｃ１５に記載の装置。
[Ｃ１７]
前記識別されたサブフレームは、前記使用可能なサブフレームに加えて、良好なＲＳ品質を有するとして前記ＵＥが識別した１または複数のサブフレームを備える、Ｃ１６に記載の装置。
[Ｃ１８]
前記ＵＥは、前記非サービス提供ノードＢからの送信がサブフレームにおいてサービス提供ノードＢのＲＳと干渉するか否かに基づいて、前記１または複数のサブフレームを、良好なＲＳ品質を有するものとして識別する、Ｃ１７に記載の装置。
[Ｃ１９]
前記非サービス提供ノードＢのうちの少なくとも１つが、前記サブフレームでデータを送信し、前記データが、前記サービス提供ノードＢのＲＳトーンと衝突し、前記非サービス提供ノードＢが、前記サービス提供ノードＢよりも強いＲＳ強度を有する場合、前記非サービス提供ノードＢからの送信が、前記サブフレームにおいて、前記サービス提供ノードＢのＲＳと干渉する、Ｃ１８に記載の装置。
[Ｃ２０]
前記識別されたサブフレームのうちの少なくとも１つにおいて、保護されていない別の領域から、保護されている１または複数の領域を識別する手段、をさらに備えるＣ１５に記載の装置。
[Ｃ２１]
前記１または複数の領域は、リソース・ブロックおよびシンボルを備える、Ｃ２０に記載の装置。
[Ｃ２２]
前記利用する手段は、前記ＵＥにおいてなされる１または複数の測定において、前記別の領域ではなく、前記保護されている領域のＲＳを利用する手段を備える、Ｃ２０に記載の装置。
[Ｃ２３]
前記保護されている領域のＲＳを利用する手段は、トラッキング・ループと測定とのための手段を備える、Ｃ２２に記載の装置。
[Ｃ２４]
前記保護されている領域のＲＳを利用する手段は、前記保護されている領域外のＲＳシンボルを使用しないチャネル推定を実行する手段を備える、Ｃ２２に記載の装置。
[Ｃ２５]
前記保護されていない別の領域は、前記非サービス提供ノードＢからの物理ブロードキャスト・チャネル（ＰＢＣＨ）送信およびシステム情報ブロック（ＳＩＢ）送信を備え、これら送信は、リソース分割に従わない、Ｃ２０に記載の装置。
[Ｃ２６]
前記ＵＥにおいてなされる１または複数の測定において、前記別のサブフレームではなく、前記識別されたサブフレームのＲＳを利用する手段は、トラッキング・ループと測定とのための手段を備える、Ｃ１５に記載の装置。
[Ｃ２７]
前記トラッキング・ループは、時間トラッキング・ループと周波数トラッキング・ループとを備える、Ｃ２６に記載の装置。
[Ｃ２８]
これら測定は、ラジオ・リンク・モニタリング（ＲＬＭ）、基準信号受信電力（ＲＳＲＰ）、および基準信号受信品質（ＲＳＲＱ）を備える、Ｃ２６に記載の装置。
[Ｃ２９]
無線通信のための装置であって、
サービス提供ノードＢと、１または複数の非サービス提供ノードＢとの間のリソースの協調的な分割によって保護されている１または複数のサブフレームを識別するリソース分割情報（ＲＰＩ）をユーザ機器（ＵＥ）において取得し、
前記サービス提供ノードＢと前記非サービス提供ノードＢとの間で、干渉がほとんどまたはまったくない１または複数のサブフレームを、前記ＲＰＩに少なくとも部分的に基づいて識別し、
前記ＵＥにおいてなされる１または複数の測定において、別のサブフレームではなく、前記識別されたサブフレームの基準信号（ＲＳ）を利用するように構成された少なくとも１つのプロセッサと、
前記少なくとも１つのプロセッサに接続されたメモリと、を備える装置。
[Ｃ３０]
前記識別されたサブフレームは、前記サービス提供ノードＢとの通信のために使用可能なサブフレームとして前記ＲＰＩが指定した１または複数のサブフレームを備える、Ｃ２９に記載の装置。
[Ｃ３１]
前記識別されたサブフレームは、前記使用可能なサブフレームに加えて、良好なＲＳ品質を有するとして前記ＵＥが識別した１または複数のサブフレームを備える、Ｃ３０に記載の装置。
[Ｃ３２]
前記ＵＥは、前記非サービス提供ノードＢからの送信がサブフレームにおいてサービス提供ノードＢのＲＳと干渉するか否かに基づいて、前記１または複数のサブフレームを、良好なＲＳ品質を有するものとして識別する、Ｃ３１に記載の装置。
[Ｃ３３]
前記非サービス提供ノードＢのうちの少なくとも１つが、前記サブフレームでデータを送信し、前記データが、前記サービス提供ノードＢのＲＳトーンと衝突し、前記非サービス提供ノードＢが、前記サービス提供ノードＢよりも強いＲＳ強度を有する場合、前記非サービス提供ノードＢからの送信が、前記サブフレームにおいて、前記サービス提供ノードＢのＲＳと干渉する、Ｃ３２に記載の装置。
[Ｃ３４]
前記少なくとも１つのプロセッサは、前記識別されたサブフレームのうちの少なくとも１つにおいて、保護されていない別の領域から、保護されている１または複数の領域を識別するように構成された、Ｃ２９に記載の装置。
[Ｃ３５]
前記１または複数の領域は、リソース・ブロックおよびシンボルを備える、Ｃ３４に記載の装置。
[Ｃ３６]
前記利用するように構成された少なくとも１つのプロセッサは、前記ＵＥにおいてなされる１または複数の測定において、前記別の領域ではなく、前記保護されている領域のＲＳを利用することを備える、Ｃ３４に記載の装置。
[Ｃ３７]
前記保護されている領域のＲＳを利用するように構成された少なくとも１つのプロセッサは、トラッキング・ループと測定とを備える、ように構成された、Ｃ３６に記載の装置。
[Ｃ３８]
前記保護されている領域のＲＳを利用するように構成された少なくとも１つのプロセッサは、前記保護されている領域外のＲＳシンボルを使用しないチャネル推定を実行することを備える、Ｃ３６に記載の装置。
[Ｃ３９]
前記保護されていない別の領域は、前記非サービス提供ノードＢからの物理ブロードキャスト・チャネル（ＰＢＣＨ）送信およびシステム情報ブロック（ＳＩＢ）送信を備え、これら送信は、リソース分割に従わない、Ｃ３４に記載の装置。
[Ｃ４０]
前記ＵＥにおいてなされる１または複数の測定において、前記別のサブフレームではなく、前記識別されたサブフレームのＲＳを利用するように構成された少なくとも１つのプロセッサは、トラッキング・ループと測定とを備える、Ｃ２９に記載の装置。
[Ｃ４１]
前記トラッキング・ループは、時間トラッキング・ループと周波数トラッキング・ループとを備える、Ｃ４０に記載の装置。
[Ｃ４２]
これら測定は、ラジオ・リンク・モニタリング（ＲＬＭ）、基準信号受信電力（ＲＳＲＰ）、および基準信号受信品質（ＲＳＲＱ）を備える、Ｃ４０に記載の装置。
[Ｃ４３]
無線通信のためのコンピュータ・プログラム製品であって、
サービス提供ノードＢと、１または複数の非サービス提供ノードＢとの間のリソースの協調的な分割によって保護されている１または複数のサブフレームを識別するリソース分割情報（ＲＰＩ）をユーザ機器（ＵＥ）において取得することと、
前記サービス提供ノードＢと前記非サービス提供ノードＢとの間で、干渉がほとんどまたはまったくない１または複数のサブフレームを、前記ＲＰＩに少なくとも部分的に基づいて識別することと、
前記ＵＥにおいてなされる１または複数の測定において、別のサブフレームではなく、前記識別されたサブフレームの基準信号（ＲＳ）を利用することと、のためのコードを有するコンピュータ読取可能な媒体を備える、コンピュータ・プログラム製品。
[Ｃ４４]
前記識別されたサブフレームは、前記サービス提供ノードＢとの通信のために使用可能なサブフレームとして前記ＲＰＩが指定した１または複数のサブフレームを備える、Ｃ４３に記載のコンピュータ・プログラム製品。
[Ｃ４５]
前記識別されたサブフレームは、前記使用可能なサブフレームに加えて、良好なＲＳ品質を有するとして前記ＵＥが識別した１または複数のサブフレームを備える、Ｃ４４に記載のコンピュータ・プログラム製品。
[Ｃ４６]
前記ＵＥは、前記非サービス提供ノードＢからの送信がサブフレームにおいてサービス提供ノードＢのＲＳと干渉するか否かに基づいて、前記１または複数のサブフレームを、良好なＲＳ品質を有するものとして識別する、Ｃ４５に記載のコンピュータ・プログラム製品。
[Ｃ４７]
前記非サービス提供ノードＢのうちの少なくとも１つが、前記サブフレームでデータを送信し、前記データが、前記サービス提供ノードＢのＲＳトーンと衝突し、前記非サービス提供ノードＢが、前記サービス提供ノードＢよりも強いＲＳ強度を有する場合、前記非サービス提供ノードＢからの送信が、前記サブフレームにおいて、前記サービス提供ノードＢのＲＳと干渉する、Ｃ４６に記載のコンピュータ・プログラム製品。
[Ｃ４８]
前記識別されたサブフレームのうちの少なくとも１つにおいて、保護されていない別の領域から、保護されている１または複数の領域を識別すること、のためのコードをさらに備えるＣ４３に記載のコンピュータ・プログラム製品。
[Ｃ４９]
前記１または複数の領域は、リソース・ブロックおよびシンボルを備える、Ｃ４８に記載のコンピュータ・プログラム製品。
[Ｃ５０]
前記利用するためのコードは、前記ＵＥにおいてなされる１または複数の測定において、前記別の領域ではなく、前記保護されている領域のＲＳを利用するためのコードを備える、Ｃ４８に記載のコンピュータ・プログラム製品。
[Ｃ５１]
前記保護されている領域のＲＳを利用するためのコードは、トラッキング・ループと測定とのためのコードを備える、Ｃ５０に記載のコンピュータ・プログラム製品。
[Ｃ５２]
前記保護されている領域のＲＳを利用するためのコードは、前記保護されている領域外のＲＳシンボルを使用しないチャネル推定を実行するためのコードを備える、Ｃ５０に記載のコンピュータ・プログラム製品。
[Ｃ５３]
前記保護されていない別の領域は、前記非サービス提供ノードＢからの物理ブロードキャスト・チャネル（ＰＢＣＨ）送信およびシステム情報ブロック（ＳＩＢ）送信を備え、これら送信は、リソース分割に従わない、Ｃ４８に記載のコンピュータ・プログラム製品。
[Ｃ５４]
前記ＵＥにおいてなされる１または複数の測定において、前記別のサブフレームではなく、前記識別されたサブフレームのＲＳを利用するためのコードは、トラッキング・ループと測定とのためのコードを備える、Ｃ４３に記載のコンピュータ・プログラム製品。
[Ｃ５５]
前記トラッキング・ループは、時間トラッキング・ループと周波数トラッキング・ループとを備える、Ｃ５４に記載のコンピュータ・プログラム製品。
[Ｃ５６]
これら測定は、ラジオ・リンク・モニタリング（ＲＬＭ）、基準信号受信電力（ＲＳＲＰ）、および基準信号受信品質（ＲＳＲＱ）を備える、Ｃ５４に記載のコンピュータ・プログラム製品。
[Ｃ５７]
無線通信のための方法であって、
サービス提供ノードＢと、１または複数の非サービス提供ノードＢとの間のリソースの協調的な分割によって保護されている１または複数のサブフレームを識別するリソース分割情報（ＲＰＩ）をユーザ機器（ＵＥ）において取得することと、
所与のサブフレームにおいて、前記サービス提供ノードＢのデータにおける干渉に寄与する前記１または複数の非サービス提供ノードＢを、前記ＲＰＩに少なくとも部分的に基づいて識別することと、
前記ＵＥにおける干渉を推定するために、別の非サービス提供ノードＢではなく、前記干渉に寄与する非サービス提供ノードＢをカウントすることと、を備える方法。
[Ｃ５８]
前記カウントすることは、生の干渉を推定するために、基準信号（ＲＳ）干渉除去（ＩＣ）を実行することと、ＩＣ後のＲＳトーンを用いることとを備える、Ｃ５７に記載の方法。
[Ｃ５９]
ＲＳトーンが除去され、ＲＳトーンがサービス提供ノードＢのＲＳトーンと衝突する、干渉に寄与すると判定された各非サービス提供ノードＢについて、前記非サービス提供ノードＢからの受信信号の共分散推定値を、生の干渉推定値に加えること、をさらに備えるＣ５８に記載の方法。
[Ｃ６０]
無線通信のための装置であって、
サービス提供ノードＢと、１または複数の非サービス提供ノードＢとの間のリソースの協調的な分割によって保護されている１または複数のサブフレームを識別するリソース分割情報（ＲＰＩ）をユーザ機器（ＵＥ）において取得する手段と、
所与のサブフレームにおいて、前記サービス提供ノードＢのデータにおける干渉に寄与する前記１または複数の非サービス提供ノードＢを、前記ＲＰＩに少なくとも部分的に基づいて識別する手段と、
前記ＵＥにおける干渉を推定するために、別の非サービス提供ノードＢではなく、前記干渉に寄与する非サービス提供ノードＢをカウントする手段と、を備える装置。
[Ｃ６１]
前記カウントする手段は、生の干渉を推定するために、基準信号（ＲＳ）干渉除去（ＩＣ）を実行し、ＩＣ後のＲＳトーンを用いる手段を備える、Ｃ６０に記載の装置。
[Ｃ６２]
ＲＳトーンが除去され、ＲＳトーンがサービス提供ノードＢのＲＳトーンと衝突する、干渉に寄与すると判定された各非サービス提供ノードＢについて、前記非サービス提供ノードＢからの受信信号の共分散推定値を、生の干渉推定値に加える手段、をさらに備えるＣ６１に記載の装置。
[Ｃ６３]
無線通信のための装置であって、
サービス提供ノードＢと、１または複数の非サービス提供ノードＢとの間のリソースの協調的な分割によって保護されている１または複数のサブフレームを識別するリソース分割情報（ＲＰＩ）をユーザ機器（ＵＥ）において取得し、
所与のサブフレームにおいて、前記サービス提供ノードＢのデータにおける干渉に寄与する前記１または複数の非サービス提供ノードＢを、前記ＲＰＩに少なくとも部分的に基づいて識別し、
前記ＵＥにおける干渉を推定するために、別の非サービス提供ノードＢではなく、前記干渉に寄与する非サービス提供ノードＢをカウントする、ように構成された少なくとも１つのプロセッサと、
前記少なくとも１つのプロセッサに接続されたメモリと、を備える装置。
[Ｃ６４]
前記カウントするように構成された少なくとも１つのプロセッサは、生の干渉を推定するために、基準信号（ＲＳ）干渉除去（ＩＣ）を実行することと、ＩＣ後のＲＳトーンを用いることとを備える、Ｃ６３に記載の装置。
[Ｃ６５]
前記少なくとも１つのプロセッサは、ＲＳトーンが除去され、ＲＳトーンがサービス提供ノードＢのＲＳトーンと衝突する、干渉に寄与すると判定された各非サービス提供ノードＢについて、前記非サービス提供ノードＢからの受信信号の共分散推定値を、生の干渉推定値に加えるように構成された、Ｃ６４に記載の装置。
[Ｃ６６]
無線通信のためのコンピュータ・プログラム製品であって、
サービス提供ノードＢと、１または複数の非サービス提供ノードＢとの間のリソースの協調的な分割によって保護されている１または複数のサブフレームを識別するリソース分割情報（ＲＰＩ）をユーザ機器（ＵＥ）において取得することと、
所与のサブフレームにおいて、前記サービス提供ノードＢのデータにおける干渉に寄与する前記１または複数の非サービス提供ノードＢを、前記ＲＰＩに少なくとも部分的に基づいて識別することと、
前記ＵＥにおける干渉を推定するために、別の非サービス提供ノードＢではなく、前記干渉に寄与する非サービス提供ノードＢをカウントすることと、ためのコードを有するコンピュータ読取可能な媒体を備える、コンピュータ・プログラム製品。
[Ｃ６７]
前記カウントするためのコードは、生の干渉を推定するために、基準信号（ＲＳ）干渉除去（ＩＣ）を実行することと、ＩＣ後のＲＳトーンを用いることとのためのコードを備える、Ｃ６６に記載のコンピュータ・プログラム製品。
[Ｃ６８]
ＲＳトーンが除去され、ＲＳトーンがサービス提供ノードＢのＲＳトーンと衝突する、干渉に寄与すると判定された各非サービス提供ノードＢについて、前記非サービス提供ノードＢからの受信信号の共分散推定値を、生の干渉推定値に加えるためのコードをさらに備える、Ｃ６７に記載のコンピュータ・プログラム製品。
[書類名]要約書
[要約]支配的な干渉シナリオにおける通信は、セル間干渉調整（ＩＣＩＣ）を実行することによってサポートされうる。ＩＣＩＣのある態様によれば、強い干渉元のノードＢの近傍に位置するサービス提供ノードＢにリソースを割り当てるために、リソース調整／分割が実行されうる。干渉元のノードＢは、割り当てられた／保護されたリソースでの送信を回避しうるが、サービス提供ノードＢに割り当てられていない（すなわち、保護されていない）リソースにおける、干渉元のノードＢからの送信は、サービス提供ノードＢのセル特有基準信号（ＣＲＳ）トーンにおける顕著な干渉をもたらしうる。したがって、割り当てられていない／保護されていないリソースのＣＲＳトーンが使用されている場合、サービス提供ノードＢのさまざまな動作へのパフォーマンス低下が生じうる。したがって、本開示のある態様は、ヘテロジニアスなネットワーク（ＨｅｔＮｅｔ）におけるＣＲＳ処理を実行するためにリソース分割情報（ＲＰＩ）を利用する際の、ＵＥ受信機のための技術を提供する。
【外国語明細書】
2014239479000001.pdf